(57)【要約】  ワイヤレス通信のための技法が説明される。１つの方法は、複数のリソースブロックを含むダウンリンクキャリア中で、第１のタイプの１つまたは複数の通信デバイスとの通信に関連するセル固有基準信号（ＣＲＳ）のために、リソース要素の第１のセットを割り振ることと、第２のタイプの１つまたは複数の通信デバイスとの通信のための狭帯域物理チャネルに、複数のリソースブロックのうちのリソースブロックのリソースを割り振ることと、割り振られたリソースが、リソース要素の第１のセットと、第２のタイプの１つまたは複数の通信デバイスとの通信に関連する狭帯域ＣＲＳ（ＮＢ−ＣＲＳ）に割り振られたリソース要素の第２のセットとの周りでレートマッチングされる、第２のタイプの１つまたは複数の通信デバイスに、狭帯域物理チャネルの割り振られたリソースのサブセットにマッピングされた情報を送信することとを含む。【選択図】      図２
2019506793.tif 000002
【特許請求の範囲】
【請求項１】
基地局における通信の方法であって、
複数のサブフレーム上の複数のリソースブロックを備えるダウンリンクキャリア中で、第１のタイプの１つまたは複数の通信デバイスとの通信に関連するセル固有基準信号（ＣＲＳ）のために、リソース要素の第１のセットを割り振ることと、
第２のタイプの１つまたは複数の通信デバイスとの通信のための狭帯域物理チャネルに、前記複数のリソースブロックのうちのリソースブロックのリソースを割り振ることと、前記割り振られたリソースが、リソース要素の前記第１のセットと、前記第２のタイプの前記１つまたは複数の通信デバイスとの通信に関連する狭帯域ＣＲＳ（ＮＢ−ＣＲＳ）に割り振られたリソース要素の第２のセットとの周りでレートマッチングされる、
前記第２のタイプの前記１つまたは複数の通信デバイスに、前記狭帯域物理チャネルの前記割り振られたリソースのサブセットにマッピングされた情報を送信することと
を備える、方法。
【請求項２】
前記狭帯域物理チャネルの展開モードに基づいて、リソース要素の前記第１のセットとリソース要素の前記第２のセットとの周りで、前記割り振られたリソースをレートマッチングすると決定すること
をさらに備える、請求項１に記載の方法。
【請求項３】
前記展開モードが帯域内展開モードを備える、請求項２に記載の方法。
【請求項４】
前記第２のタイプの前記１つまたは複数の通信デバイスに前記情報を前記送信することが、所定の送信モードに基づいて、前記第２のタイプの前記１つまたは複数の通信デバイスに前記情報を送信することを備え、ここにおいて、前記所定の送信モードが、空間周波数ブロックコード（ＳＦＢＣ）に基づく送信ダイバーシティを備える、請求項１に記載の方法。
【請求項５】
前記リソースブロックの前記リソースを前記割り振ることが、前記第２のタイプの第１のデバイスとの通信のために、前記リソースブロックの周波数リソースの第１のセットを割り振ることと、前記第２のタイプの第２のデバイスとの通信のために、前記リソースブロックの周波数リソースの第２のセットを割り振ることとを備える、請求項１に記載の方法。
【請求項６】
前記割り振られたリソースの前記サブセットが、アグリゲーションレベルに関連する前記割り振られたリソースの複数のサブセットのうちの第１のサブセットを備える、請求項１に記載の方法。
【請求項７】
前記割り振られたリソースの前記サブセットが、アグリゲーションレベルに関連する前記割り振られたリソースの第１のサブセットと第２のサブセットとにわたる、請求項１に記載の方法。
【請求項８】
前記割り振られたリソースが複数のリソース要素グループを備える、請求項１に記載の方法。
【請求項９】
前記複数のリソース要素グループが、リソース要素の前記第１のセットとリソース要素の前記第２のセットとの周りでレートマッチングされる、請求項８に記載の方法。
【請求項１０】
ユーザ機器（ＵＥ）における通信の方法であって、
狭帯域物理チャネルの展開モードを決定することと、
前記狭帯域物理チャネルに割り振られたリソースのサブセットにマッピングされた情報を受信することと、
前記展開モードに少なくとも部分的に基づいて、前記狭帯域物理チャネルに割り振られたリソースの前記サブセットに関連するレートマッチング構成を決定することと、
前記レートマッチング構成に少なくとも部分的に基づいて、前記受信された情報を復号することと
を備える、方法。
【請求項１１】
前記展開モードが帯域内展開モードを備える、請求項１０に記載の方法。
【請求項１２】
前記狭帯域物理チャネルに割り振られたリソースの前記サブセットが、セル固有基準信号（ＣＲＳ）に割り振られたリソース要素の第１のセットと、狭帯域ＣＲＳ（ＮＢ−ＣＲＳ）に割り振られたリソース要素の第２のセットとの周りでレートマッチングされる、請求項１１に記載の方法。
【請求項１３】
前記展開モードがスタンドアロン展開モードまたはガードバンド展開モードを備える、請求項１０に記載の方法。
【請求項１４】
前記狭帯域物理チャネルに割り振られたリソースの前記サブセットが、狭帯域セル固有基準信号（ＮＢ−ＣＲＳ）に割り振られたリソース要素のセットの周りでレートマッチングされる、請求項１３に記載の方法。
【請求項１５】
リソースの前記サブセットが、アグリゲーションレベルに関連する前記狭帯域物理チャネルに割り振られた前記リソースの複数のサブセットのうちの第１のサブセットを備える、請求項１０に記載の方法。
【請求項１６】
リソースの前記サブセットが、アグリゲーションレベルに関連する前記狭帯域物理チャネルに割り振られた前記リソースの第１のサブセットと第２のサブセットとにわたる、請求項１０に記載の方法。
【請求項１７】
前記割り振られたリソースが複数のリソース要素グループを備える、請求項１０に記載の方法。
【請求項１８】
前記複数のリソース要素グループが、狭帯域セル固有基準信号（ＮＢ−ＣＲＳ）に割り振られたリソース要素のセットの周りでレートマッチングされる、請求項１７に記載の方法。
【請求項１９】
ワイヤレスデバイスにおける通信の方法であって、
狭帯域物理制御チャネルを受信することと、
前記狭帯域物理制御チャネル上の制御チャネル送信のための少なくとも１つのフォーマットと同じサイズを有する、前記狭帯域物理制御チャネルのリソースのセットにマッピングされた第１のデータヘッダとデータペイロードとを備えるデータ送信を前記狭帯域物理制御チャネル中で識別することと
を備える、方法。
【請求項２０】
前記第１のデータヘッダが、前記狭帯域物理制御チャネル中の制御送信によって割り振られた狭帯域データチャネルを介したデータの送信のための第２のデータヘッダとは異なるサイズを有する、請求項１９に記載の方法。
【請求項２１】
前記データ送信が、データ識別子を用いて、復号された制御送信候補の巡回冗長検査値をデスクランブルすることによって識別される、請求項１９に記載の方法。
【請求項２２】
前記データ送信が、制御チャネル送信のための前記少なくとも１つのフォーマットを識別する場合とは異なる長さを有する巡回冗長検査値を用いて、復号された制御送信候補のための巡回冗長検査を実施することによって識別される、請求項１９に記載の方法。
【請求項２３】
リソースの前記セットが複数のリソース要素グループを備える、請求項１９に記載の方法。
【請求項２４】
ワイヤレス通信のための装置であって、
複数のサブフレーム上の複数のリソースブロックを備えるダウンリンクキャリア中で、第１のタイプの１つまたは複数の通信デバイスとの通信に関連するセル固有基準信号（ＣＲＳ）のために、リソース要素の第１のセットを割り振るための手段と、
第２のタイプの１つまたは複数の通信デバイスとの通信のための狭帯域物理チャネルに、前記複数のリソースブロックのうちのリソースブロックのリソースを割り振るための手段と、前記割り振られたリソースが、リソース要素の前記第１のセットと、前記第２のタイプの前記１つまたは複数の通信デバイスとの通信に関連する狭帯域ＣＲＳ（ＮＢ−ＣＲＳ）に割り振られたリソース要素の第２のセットとの周りでレートマッチングされる、
前記第２のタイプの前記１つまたは複数の通信デバイスに、前記狭帯域物理チャネルの前記割り振られたリソースのサブセットにマッピングされた情報を送信するための手段と
を備える、装置。
【請求項２５】
前記狭帯域物理チャネルの展開モードに基づいて、リソース要素の前記第１のセットとリソース要素の前記第２のセットとの周りで、前記割り振られたリソースをレートマッチングすると決定するための手段
をさらに備える、請求項２４に記載の装置。
【請求項２６】
前記展開モードが帯域内展開モードを備える、請求項２５に記載の装置。
【請求項２７】
前記第２のタイプの前記１つまたは複数の通信デバイスに前記情報を送信するための前記手段が、所定の送信モードに基づいて、前記第２のタイプの前記１つまたは複数の通信デバイスに前記情報を送信するための手段を備え、ここにおいて、前記所定の送信モードが、空間周波数ブロックコード（ＳＦＢＣ）に基づく送信ダイバーシティを備える、請求項２４に記載の装置。
【請求項２８】
前記リソースブロックの前記リソースを割り振るための前記手段が、前記第２のタイプの第１のデバイスとの通信のために、前記リソースブロックの周波数リソースの第１のセットを割り振るための手段と、前記第２のタイプの第２のデバイスとの通信のために、前記リソースブロックの周波数リソースの第２のセットを割り振るための手段とを備える、請求項２４に記載の装置。
【請求項２９】
前記割り振られたリソースの前記サブセットが、アグリゲーションレベルに関連する前記割り振られたリソースの複数のサブセットのうちの第１のサブセットを備える、請求項２４に記載の装置。
【請求項３０】
前記割り振られたリソースの前記サブセットが、アグリゲーションレベルに関連する前記割り振られたリソースの第１のサブセットと第２のサブセットとにわたる、請求項２４に記載の装置。
【請求項３１】
前記割り振られたリソースが複数のリソース要素グループを備える、請求項２４に記載の装置。
【請求項３２】
ワイヤレス通信のための装置であって、
狭帯域物理チャネルの展開モードを決定するための手段と、
前記狭帯域物理チャネルに割り振られたリソースのサブセットにマッピングされた情報を受信するための手段と、
前記展開モードに少なくとも部分的に基づいて、前記狭帯域物理チャネルに割り振られたリソースの前記サブセットに関連するレートマッチング構成を決定するための手段と、
前記レートマッチング構成に少なくとも部分的に基づいて、前記受信された情報を復号するための手段と
を備える、装置。
【請求項３３】
前記展開モードが帯域内展開モードを備える、請求項３２に記載の装置。
【請求項３４】
前記狭帯域物理チャネルに割り振られたリソースの前記サブセットが、セル固有基準信号（ＣＲＳ）に割り振られたリソース要素の第１のセットと、狭帯域ＣＲＳ（ＮＢ−ＣＲＳ）に割り振られたリソース要素の第２のセットとの周りでレートマッチングされる、請求項３３に記載の装置。
【請求項３５】
前記展開モードがスタンドアロン展開モードまたはガードバンド展開モードを備える、請求項３２に記載の装置。
【請求項３６】
前記狭帯域物理チャネルに割り振られたリソースの前記サブセットが、狭帯域セル固有基準信号（ＮＢ−ＣＲＳ）に割り振られたリソース要素のセットの周りでレートマッチングされる、請求項３５に記載の装置。
【請求項３７】
リソースの前記サブセットが、アグリゲーションレベルに関連する前記狭帯域物理チャネルに割り振られた前記リソースの複数のサブセットのうちの第１のサブセットを備える、請求項３２に記載の装置。
【請求項３８】
リソースの前記サブセットが、アグリゲーションレベルに関連する前記狭帯域物理チャネルに割り振られた前記リソースの第１のサブセットと第２のサブセットとにわたる、請求項３２に記載の装置。
【請求項３９】
前記割り振られたリソースが複数のリソース要素グループを備える、請求項３２に記載の装置。
【請求項４０】
ワイヤレス通信のための装置であって、
狭帯域物理制御チャネルを受信するための手段と、
前記狭帯域物理制御チャネル上の制御チャネル送信のための少なくとも１つのフォーマットと同じサイズを有する、前記狭帯域物理制御チャネルのリソースのセットにマッピングされた第１のデータヘッダとデータペイロードとを備えるデータ送信を前記狭帯域物理制御チャネル中で識別するための手段と
を備える、装置。
【請求項４１】
前記第１のデータヘッダが、前記狭帯域物理制御チャネル中の制御送信によって割り振られた狭帯域データチャネルを介したデータの送信のための第２のデータヘッダとは異なるサイズを有する、請求項４０に記載の装置。
【請求項４２】
前記データ送信が、データ識別子を用いて、復号された制御送信候補の巡回冗長検査値をデスクランブルすることによって識別される、請求項４０に記載の装置。
【請求項４３】
前記データ送信が、制御チャネル送信のための前記少なくとも１つのフォーマットを識別する場合とは異なる長さを有する巡回冗長検査値を用いて、復号された制御送信候補のための巡回冗長検査を実施することによって識別される、請求項４０に記載の装置。
【請求項４４】
リソースの前記セットが複数のリソース要素グループを備える、請求項４０に記載の装置。
【請求項４５】
システムにおけるワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
複数のサブフレーム上の複数のリソースブロックを備えるダウンリンクキャリア中で、第１のタイプの１つまたは複数の通信デバイスとの通信に関連するセル固有基準信号（ＣＲＳ）のために、リソース要素の第１のセットを割り振ることと、
第２のタイプの１つまたは複数の通信デバイスとの通信のための狭帯域物理チャネルに、前記複数のリソースブロックのうちのリソースブロックのリソースを割り振ることと、前記割り振られたリソースが、リソース要素の前記第１のセットと、前記第２のタイプの前記１つまたは複数の通信デバイスとの通信に関連する狭帯域ＣＲＳ（ＮＢ−ＣＲＳ）に割り振られたリソース要素の第２のセットとの周りでレートマッチングされる、
前記第２のタイプの前記１つまたは複数の通信デバイスに、前記狭帯域物理チャネルの前記割り振られたリソースのサブセットにマッピングされた情報を送信することと
を行わせるように動作可能である、装置。
【請求項４６】
前記命令が、前記装置に、
前記狭帯域物理チャネルの展開モードに基づいて、リソース要素の前記第１のセットとリソース要素の前記第２のセットとの周りで、前記割り振られたリソースをレートマッチングすると決定すること
を行わせるために前記プロセッサによって実行可能である、請求項４５に記載の装置。
【請求項４７】
前記展開モードが帯域内展開モードを備える、請求項４６に記載の装置。
【請求項４８】
前記命令は、前記装置に、
所定の送信モードに基づいて、前記第２のタイプの前記１つまたは複数の通信デバイスに前記情報を送信すること、ここにおいて、前記所定の送信モードが、空間周波数ブロックコード（ＳＦＢＣ）に基づく送信ダイバーシティを備える、
を行わせるために前記プロセッサによって実行可能である、請求項４５に記載の装置。
【請求項４９】
前記命令は、前記装置に、
前記第２のタイプの第１のデバイスとの通信のために、前記リソースブロックの周波数リソースの第１のセットを割り振ることと、前記第２のタイプの第２のデバイスとの通信のために、前記リソースブロックの周波数リソースの第２のセットを割り振ることと
を行わせるために前記プロセッサによって実行可能である、請求項４５に記載の装置。
【請求項５０】
前記割り振られたリソースの前記サブセットが、アグリゲーションレベルに関連する前記割り振られたリソースの複数のサブセットのうちの第１のサブセットを備える、請求項４５に記載の装置。
【請求項５１】
前記割り振られたリソースの前記サブセットが、アグリゲーションレベルに関連する前記割り振られたリソースの第１のサブセットと第２のサブセットとにわたる、請求項４５に記載の装置。
【請求項５２】
前記割り振られたリソースが複数のリソース要素グループを備える、請求項４５に記載の装置。
【請求項５３】
システムにおけるワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
狭帯域物理チャネルの展開モードを決定することと、
前記狭帯域物理チャネルに割り振られたリソースのサブセットにマッピングされた情報を受信することと、
前記展開モードに少なくとも部分的に基づいて、前記狭帯域物理チャネルに割り振られたリソースの前記サブセットに関連するレートマッチング構成を決定することと、
前記レートマッチング構成に少なくとも部分的に基づいて、前記受信された情報を復号することと
を行わせるように動作可能である、装置。
【請求項５４】
前記展開モードが帯域内展開モードを備える、請求項５３に記載の装置。
【請求項５５】
前記狭帯域物理チャネルに割り振られたリソースの前記サブセットが、セル固有基準信号（ＣＲＳ）に割り振られたリソース要素の第１のセットと、狭帯域ＣＲＳ（ＮＢ−ＣＲＳ）に割り振られたリソース要素の第２のセットとの周りでレートマッチングされる、請求項５４に記載の装置。
【請求項５６】
前記展開モードがスタンドアロン展開モードまたはガードバンド展開モードを備える、請求項５３に記載の装置。
【請求項５７】
前記狭帯域物理チャネルに割り振られたリソースの前記サブセットが、狭帯域セル固有基準信号（ＮＢ−ＣＲＳ）に割り振られたリソース要素のセットの周りでレートマッチングされる、請求項５６に記載の装置。
【請求項５８】
リソースの前記サブセットが、アグリゲーションレベルに関連する前記狭帯域物理チャネルに割り振られた前記リソースの複数のサブセットのうちの第１のサブセットを備える、請求項５３に記載の装置。
【請求項５９】
リソースの前記サブセットが、アグリゲーションレベルに関連する前記狭帯域物理チャネルに割り振られた前記リソースの第１のサブセットと第２のサブセットとにわたる、請求項５３に記載の装置。
【請求項６０】
前記割り振られたリソースが複数のリソース要素グループを備える、請求項５３に記載の装置。
【請求項６１】
システムにおけるワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
狭帯域物理制御チャネルを受信することと、
前記狭帯域物理制御チャネル上の制御チャネル送信のための少なくとも１つのフォーマットと同じサイズを有する、前記狭帯域物理制御チャネルのリソースのセットにマッピングされた第１のデータヘッダとデータペイロードとを備えるデータ送信を前記狭帯域物理制御チャネル中で識別することと
を行わせるように動作可能である、装置。
【請求項６２】
前記第１のデータヘッダが、前記狭帯域物理制御チャネル中の制御送信によって割り振られた狭帯域データチャネルを介したデータの送信のための第２のデータヘッダとは異なるサイズを有する、請求項６１に記載の装置。
【請求項６３】
前記データ送信が、データ識別子を用いて、復号された制御送信候補の巡回冗長検査値をデスクランブルすることによって識別される、請求項６１に記載の装置。
【請求項６４】
前記データ送信が、制御チャネル送信のための前記少なくとも１つのフォーマットを識別する場合とは異なる長さを有する巡回冗長検査値を用いて、復号された制御送信候補のための巡回冗長検査を実施することによって識別される、請求項６１に記載の装置。
【請求項６５】
リソースの前記セットが複数のリソース要素グループを備える、請求項６１に記載の装置。
【請求項６６】
ワイヤレス通信のためのコードを記憶する非一時的コンピュータ可読媒体であって、前記コードは、
複数のサブフレーム上の複数のリソースブロックを備えるダウンリンクキャリア中で、第１のタイプの１つまたは複数の通信デバイスとの通信に関連するセル固有基準信号（ＣＲＳ）のために、リソース要素の第１のセットを割り振ることと、
第２のタイプの１つまたは複数の通信デバイスとの通信のための狭帯域物理チャネルに、前記複数のリソースブロックのうちのリソースブロックのリソースを割り振ることと、前記割り振られたリソースが、リソース要素の前記第１のセットと、前記第２のタイプの前記１つまたは複数の通信デバイスとの通信に関連する狭帯域ＣＲＳ（ＮＢ−ＣＲＳ）に割り振られたリソース要素の第２のセットとの周りでレートマッチングされる、
前記第２のタイプの前記１つまたは複数の通信デバイスに、前記狭帯域物理チャネルの前記割り振られたリソースのサブセットにマッピングされた情報を送信することと
を行うためにプロセッサによって実行可能な命令を備える、非一時的コンピュータ可読媒体。
【請求項６７】
ワイヤレス通信のためのコードを記憶する非一時的コンピュータ可読媒体であって、前記コードは、
狭帯域物理チャネルの展開モードを決定することと、
前記狭帯域物理チャネルに割り振られたリソースのサブセットにマッピングされた情報を受信することと、
前記展開モードに少なくとも部分的に基づいて、前記狭帯域物理チャネルに割り振られたリソースの前記サブセットに関連するレートマッチング構成を決定することと、
前記レートマッチング構成に少なくとも部分的に基づいて、前記受信された情報を復号することと
を行うためにプロセッサによって実行可能な命令を備える、非一時的コンピュータ可読媒体。
【請求項６８】
ワイヤレス通信のためのコードを記憶する非一時的コンピュータ可読媒体であって、前記コードは、
狭帯域物理制御チャネルを受信することと、
前記狭帯域物理制御チャネル上の制御チャネル送信のための少なくとも１つのフォーマットと同じサイズを有する、前記狭帯域物理制御チャネルのリソースのセットにマッピングされた第１のデータヘッダとデータペイロードとを備えるデータ送信を前記狭帯域物理制御チャネル中で識別することと
を行うためにプロセッサによって実行可能な命令を備える、非一時的コンピュータ可読媒体。
【発明の詳細な説明】
【技術分野】
【０００１】
相互参照
[0001]本特許出願は、各々が本出願の譲受人に譲渡された、２０１６年９月２１日に出願された、「Narrow-Band Physical Control Channel Design」と題する、Ｒｉｃｏ  Ａｌｖａｒｉｎｏらによる米国特許出願第１５／２７１，８９８号、および２０１６年１月１１日に出願された、「Narrow-band Physical Control Channel Design」と題する、Ｒｉｃｏ  Ａｌｖａｒｉｎｏらによる米国仮特許出願第６２／２７７，３９５号の優先権を主張する。
【０００２】
[0002]本開示は、たとえば、ワイヤレス通信システムに関し、より詳細には、狭帯域物理チャネル（narrow-band physical channel）を構成するための技法に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））またはＬＴＥアドバンスト（ＬＴＥ−Ａ）システム）がある。ワイヤレス多元接続通信システムは、場合によってはユーザ機器（ＵＥ）として知られていることがある、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００４】
[0004]いくつかのタイプのＵＥは、狭帯域通信を使用して基地局または他のＵＥと通信し得る。狭帯域通信は、たとえば、狭帯域ＬＴＥ（ＮＢ−ＬＴＥ）通信、（本開示の目的のためにマシンタイプ通信（ＭＴＣ：Machine Type Communication）または拡張ＭＴＣ（ｅＭＴＣ）がその一部と見なされ得る）Ｍ２Ｍ通信、ＮＢ−モノのインターネット（ＮＢ−ＩｏＴ：NB-Internet of Things）通信などを含み得る。
【発明の概要】
【０００５】
[0005]本開示は、たとえば、狭帯域物理チャネルを構成するための技法に関する。狭帯域通信のより限られたリソースを仮定すれば、いくつかの場合には、広帯域チャネルのリソースとは別様に狭帯域チャネルのリソースを割り振ることが望ましいことがある。しかしながら、狭帯域通信デバイスが広帯域通信デバイスと同じ無線周波数スペクトル帯域内で動作し得るとすれば、いくつかの場合には、広帯域通信に適合するように狭帯域通信の態様を構成することも望ましいことがある。
【０００６】
[0006]一例では、基地局における通信の方法が説明される。本方法は、複数のサブフレーム上の複数のリソースブロックを含むダウンリンクキャリア中で、第１のタイプの１つまたは複数の通信デバイスとの通信に関連するセル固有基準信号（ＣＲＳ：cell-specific reference signal）のために、リソース要素の第１のセットを割り振ることを含み得る。本方法はまた、第２のタイプの１つまたは複数の通信デバイスとの通信のための狭帯域物理チャネルに、複数のリソースブロックのうちのリソースブロックのリソースを割り振ることと、割り振られたリソースが、リソース要素の第１のセットと、第２のタイプの１つまたは複数の通信デバイスとの通信に関連する狭帯域ＣＲＳ（ＮＢ−ＣＲＳ：narrow-band CRS）に割り振られたリソース要素の第２のセットとの周りでレートマッチングされる、第２のタイプの１つまたは複数の通信デバイスに、狭帯域物理チャネルの割り振られたリソースのサブセットにマッピングされた情報を送信することとを含み得る。
【０００７】
[0007]いくつかの例では、本方法はまた、狭帯域物理チャネルの展開モードに基づいて、リソース要素の第１のセットとリソース要素の第２のセットとの周りで、割り振られたリソースをレートマッチングすると決定することを含む。いくつかの例では、展開モードは帯域内展開モードを含む。いくつかの例では、第２のタイプの１つまたは複数の通信デバイスに情報を送信することは、所定の送信モードに基づいて、第２のタイプの１つまたは複数の通信デバイスに情報を送信することを含む。いくつかの例では、所定の送信モードは、空間周波数ブロックコード（ＳＦＢＣ：space frequency block code）に基づく送信ダイバーシティを含む。
【０００８】
[0008]いくつかの例では、リソースブロックのリソースを割り振ることは、第２のタイプの第１のデバイスとの通信のために、リソースブロックの周波数リソースの第１のセットを割り振ることと、第２のタイプの第２のデバイスとの通信のために、リソースブロックの周波数リソースの第２のセットを割り振ることとを含む。いくつかの例では、割り振られたリソースは複数のリソース要素グループを含む。いくつかの例では、複数のリソース要素グループは、リソース要素の第１のセットとリソース要素の第２のセットとの周りでレートマッチングされる。
【０００９】
[0009]一例では、基地局における通信のための装置が説明される。本装置は、複数のサブフレーム上の複数のリソースブロックを含むダウンリンクキャリア中で、第１のタイプの１つまたは複数の通信デバイスとの通信に関連するＣＲＳのために、リソース要素の第１のセットを割り振るための手段を含み得る。本装置はまた、第２のタイプの１つまたは複数の通信デバイスとの通信のための狭帯域物理チャネルに、複数のリソースブロックのうちのリソースブロックのリソースを割り振るための手段と、割り振られたリソースが、リソース要素の第１のセットと、第２のタイプの１つまたは複数の通信デバイスとの通信に関連するＮＢ−ＣＲＳに割り振られたリソース要素の第２のセットとの周りでレートマッチングされる、第２のタイプの１つまたは複数の通信デバイスに、狭帯域物理チャネルの割り振られたリソースのサブセットにマッピングされた情報を送信するための手段とを含み得る。
【００１０】
[0010]いくつかの例では、本装置はまた、狭帯域物理チャネルの展開モードに基づいて、リソース要素の第１のセットとリソース要素の第２のセットとの周りで、割り振られたリソースをレートマッチングすると決定するための手段を含む。いくつかの例では、展開モードは帯域内展開モードを含む。いくつかの例では、第２のタイプの１つまたは複数の通信デバイスに情報を送信するための手段は、所定の送信モードに基づいて、第２のタイプの１つまたは複数の通信デバイスに情報を送信するための手段を含む。いくつかの例では、所定の送信モードは、ＳＦＢＣに基づく送信ダイバーシティを含む。
【００１１】
[0011]いくつかの例では、リソースブロックのリソースを割り振るための手段は、第２のタイプの第１のデバイスとの通信のために、リソースブロックの周波数リソースの第１のセットを割り振るための手段と、第２のタイプの第２のデバイスとの通信のために、リソースブロックの周波数リソースの第２のセットを割り振るための手段とを含む。いくつかの例では、割り振られたリソースは複数のリソース要素グループを含む。いくつかの例では、複数のリソース要素グループは、リソース要素の第１のセットとリソース要素の第２のセットとの周りでレートマッチングされる。
【００１２】
[0012]一例では、基地局における通信のための別の装置が説明される。本装置は、プロセッサと、プロセッサと電子通信しているメモリと、メモリに記憶された命令とを含み得る。命令は、複数のサブフレーム上の複数のリソースブロックを含むダウンリンクキャリア中で、第１のタイプの１つまたは複数の通信デバイスとの通信に関連するＣＲＳのために、リソース要素の第１のセットを割り振るために、プロセッサによって実行可能であり得る。命令はまた、第２のタイプの１つまたは複数の通信デバイスとの通信のための狭帯域物理チャネルに、複数のリソースブロックのうちのリソースブロックのリソースを割り振ることと、割り振られたリソースが、リソース要素の第１のセットと、第２のタイプの１つまたは複数の通信デバイスとの通信に関連するＮＢ−ＣＲＳに割り振られたリソース要素の第２のセットとの周りでレートマッチングされる、第２のタイプの１つまたは複数の通信デバイスに、狭帯域物理チャネルの割り振られたリソースのサブセットにマッピングされた情報を送信することとを行うために、プロセッサによって実行可能であり得る。
【００１３】
[0013]いくつかの例では、命令はまた、本装置に、狭帯域物理チャネルの展開モードに基づいて、リソース要素の第１のセットとリソース要素の第２のセットとの周りで、割り振られたリソースをレートマッチングすると決定することを行わせるために、プロセッサによって実行可能であり得る。いくつかの例では、展開モードは帯域内展開モードを含む。いくつかの例では、命令はまた、本装置に、所定の送信モードに基づいて、第２のタイプの１つまたは複数の通信デバイスに情報を送信することを行わせるために、プロセッサによって実行可能であり得る。いくつかの例では、所定の送信モードは、ＳＦＢＣに基づく送信ダイバーシティを含む。
【００１４】
[0014]いくつかの例では、命令はまた、本装置に、第２のタイプの第１のデバイスとの通信のために、リソースブロックの周波数リソースの第１のセットを割り振ることと、第２のタイプの第２のデバイスとの通信のために、リソースブロックの周波数リソースの第２のセットを割り振ることとを行わせるために、プロセッサによって実行可能であり得る。いくつかの例では、割り振られたリソースは複数のリソース要素グループを含む。いくつかの例では、複数のリソース要素グループは、リソース要素の第１のセットとリソース要素の第２のセットとの周りでレートマッチングされる。
【００１５】
[0015]一例では、通信のためのコンピュータ実行可能コードを記憶する非一時的コンピュータ可読媒体。コードは、複数のサブフレーム上の複数のリソースブロックを含むダウンリンクキャリア中で、第１のタイプの１つまたは複数の通信デバイスとの通信に関連するＣＲＳのために、リソース要素の第１のセットを割り振るために、プロセッサによって実行可能であり得る。コードはまた、第２のタイプの１つまたは複数の通信デバイスとの通信のための狭帯域物理チャネルに、複数のリソースブロックのうちのリソースブロックのリソースを割り振ることと、割り振られたリソースが、リソース要素の第１のセットと、第２のタイプの１つまたは複数の通信デバイスとの通信に関連するＮＢ−ＣＲＳに割り振られたリソース要素の第２のセットとの周りでレートマッチングされる、第２のタイプの１つまたは複数の通信デバイスに、狭帯域物理チャネルの割り振られたリソースのサブセットにマッピングされた情報を送信することとを行うために、プロセッサによって実行可能であり得る。
【００１６】
[0016]いくつかの例では、コードはまた、狭帯域物理チャネルの展開モードに基づいて、リソース要素の第１のセットとリソース要素の第２のセットとの周りで、割り振られたリソースをレートマッチングすると決定するために、プロセッサによって実行可能であり得る。いくつかの例では、展開モードは帯域内展開モードを含む。いくつかの例では、コードはまた、所定の送信モードに基づいて、第２のタイプの１つまたは複数の通信デバイスに情報を送信するために、プロセッサによって実行可能であり得る。いくつかの例では、所定の送信モードは、ＳＦＢＣに基づく送信ダイバーシティを含む。
【００１７】
[0017]いくつかの例では、コードはまた、第２のタイプの第１のデバイスとの通信のために、リソースブロックの周波数リソースの第１のセットを割り振ることと、第２のタイプの第２のデバイスとの通信のために、リソースブロックの周波数リソースの第２のセットを割り振ることとを行うために、プロセッサによって実行可能であり得る。いくつかの例では、割り振られたリソースは複数のリソース要素グループを含む。いくつかの例では、複数のリソース要素グループは、リソース要素の第１のセットとリソース要素の第２のセットとの周りでレートマッチングされる。
【００１８】
[0018]一例では、ワイヤレスデバイスにおける通信の方法が説明される。本方法は、狭帯域物理チャネルの展開モードを決定することと、狭帯域物理チャネルに割り振られたリソースのサブセットにマッピングされた情報を受信することと、展開モードに基づいて、狭帯域物理チャネルに割り振られたリソースのサブセットに関連するレートマッチング構成を決定することと、レートマッチング構成に基づいて、受信された情報を復号することとを含み得る。
【００１９】
[0019]本方法のいくつかの例では、展開モードは帯域内展開モードを含む。いくつかの例では、狭帯域物理チャネルに割り振られたリソースのサブセットは、ＣＲＳに割り振られたリソース要素の第１のセットと、ＮＢ−ＣＲＳに割り振られたリソース要素の第２のセットとの周りでレートマッチングされる。いくつかの例では、展開モードはスタンドアロン展開モードまたはガードバンド展開モードを含む。いくつかの例では、狭帯域物理チャネルに割り振られたリソースのサブセットは、ＮＢ−ＣＲＳに割り振られたリソース要素のセットの周りでレートマッチングされる。いくつかの例では、割り振られたリソースは複数のリソース要素グループを含む。いくつかの例では、複数のリソース要素グループは、ＮＢ−ＣＲＳに割り振られたリソース要素のセットの周りでレートマッチングされる。
【００２０】
[0020]一例では、ワイヤレスデバイスにおける通信のための装置が説明される。本装置は、狭帯域物理チャネルの展開モードを決定するための手段と、狭帯域物理チャネルに割り振られたリソースのサブセットにマッピングされた情報を受信するための手段と、展開モードに基づいて、狭帯域物理チャネルに割り振られたリソースのサブセットに関連するレートマッチング構成を決定するための手段と、レートマッチング構成に基づいて、受信された情報を復号するための手段とを含み得る。
【００２１】
[0021]本装置のいくつかの例では、展開モードは帯域内展開モードを含む。いくつかの例では、狭帯域物理チャネルに割り振られたリソースのサブセットは、ＣＲＳに割り振られたリソース要素の第１のセットと、ＮＢ−ＣＲＳに割り振られたリソース要素の第２のセットとの周りでレートマッチングされる。いくつかの例では、展開モードはスタンドアロン展開モードまたはガードバンド展開モードを含む。いくつかの例では、狭帯域物理チャネルに割り振られたリソースのサブセットは、ＮＢ−ＣＲＳに割り振られたリソース要素のセットの周りでレートマッチングされる。いくつかの例では、割り振られたリソースは複数のリソース要素グループを含む。いくつかの例では、複数のリソース要素グループは、ＮＢ−ＣＲＳに割り振られたリソース要素のセットの周りでレートマッチングされる。
【００２２】
[0022]一例では、ワイヤレスデバイスにおける通信のための別の装置が説明される。本装置は、プロセッサと、プロセッサと電子通信しているメモリと、メモリに記憶された命令とを含み得る。命令は、本装置に、狭帯域物理チャネルの展開モードを決定することと、狭帯域物理チャネルに割り振られたリソースのサブセットにマッピングされた情報を受信することと、展開モードに基づいて、狭帯域物理チャネルに割り振られたリソースのサブセットに関連するレートマッチング構成を決定することと、レートマッチング構成に基づいて、受信された情報を復号することとを行わせるために、プロセッサによって実行可能であり得る。
【００２３】
[0023]本装置のいくつかの例では、展開モードは帯域内展開モードを含む。いくつかの例では、狭帯域物理チャネルに割り振られたリソースのサブセットは、ＣＲＳに割り振られたリソース要素の第１のセットと、ＮＢ−ＣＲＳに割り振られたリソース要素の第２のセットとの周りでレートマッチングされる。いくつかの例では、展開モードはスタンドアロン展開モードまたはガードバンド展開モードを含む。いくつかの例では、狭帯域物理チャネルに割り振られたリソースのサブセットは、ＮＢ−ＣＲＳに割り振られたリソース要素のセットの周りでレートマッチングされる。いくつかの例では、割り振られたリソースは複数のリソース要素グループを含む。いくつかの例では、複数のリソース要素グループは、ＮＢ−ＣＲＳに割り振られたリソース要素のセットの周りでレートマッチングされる。
【００２４】
[0024]一例では、通信のためのコンピュータ実行可能コードを記憶する非一時的コンピュータ可読媒体が説明される。コードは、狭帯域物理チャネルの展開モードを決定することと、狭帯域物理チャネルに割り振られたリソースのサブセットにマッピングされた情報を受信することと、展開モードに基づいて、狭帯域物理チャネルに割り振られたリソースのサブセットに関連するレートマッチング構成を決定することと、レートマッチング構成に基づいて、受信された情報を復号することとを行うために、プロセッサによって実行可能であり得る。
【００２５】
[0025]本非一時的コンピュータ可読媒体のいくつかの例では、展開モードは帯域内展開モードを含む。いくつかの例では、狭帯域物理チャネルに割り振られたリソースのサブセットは、ＣＲＳに割り振られたリソース要素の第１のセットと、ＮＢ−ＣＲＳに割り振られたリソース要素の第２のセットとの周りでレートマッチングされる。いくつかの例では、展開モードはスタンドアロン展開モードまたはガードバンド展開モードを含む。いくつかの例では、狭帯域物理チャネルに割り振られたリソースのサブセットは、ＮＢ−ＣＲＳに割り振られたリソース要素のセットの周りでレートマッチングされる。いくつかの例では、割り振られたリソースは複数のリソース要素グループを含む。いくつかの例では、複数のリソース要素グループは、ＮＢ−ＣＲＳに割り振られたリソース要素のセットの周りでレートマッチングされる。
【００２６】
[0026]一例では、ワイヤレスデバイスにおける通信の別の方法が説明される。本方法は、狭帯域物理制御チャネルを受信することと、狭帯域物理制御チャネル上の制御チャネル送信のための少なくとも１つのフォーマットと同じサイズを有する、狭帯域物理制御チャネルのリソースのセットにマッピングされた第１のデータヘッダとデータペイロードとを含むデータ送信を狭帯域物理制御チャネル中で識別することとを含み得る。
【００２７】
[0027]本方法のいくつかの例では、第１のデータヘッダは、狭帯域物理制御チャネル中の制御送信によって割り振られた狭帯域データチャネルを介したデータの送信のための第２のデータヘッダとは異なるサイズを有し得る。いくつかの例では、データ送信は、データ識別子を用いて、復号された制御送信候補の巡回冗長検査値をデスクランブルすることによって識別され得る。いくつかの例では、データ送信は、制御チャネル送信のための少なくとも１つのフォーマットを識別する場合とは異なる長さを有する巡回冗長検査値を用いて、復号された制御送信候補のための巡回冗長検査を実施することによって識別され得る。いくつかの例では、狭帯域物理制御チャネルのリソースのセットは複数のリソース要素グループを含む。
【００２８】
[0028]一例では、ワイヤレスデバイスにおける通信のための別の装置が説明される。本装置は、狭帯域物理制御チャネルを受信するための手段と、狭帯域物理制御チャネル上の制御チャネル送信のための少なくとも１つのフォーマットと同じサイズを有する、狭帯域物理制御チャネルのリソースのセットにマッピングされた第１のデータヘッダとデータペイロードとを含むデータ送信を狭帯域物理制御チャネル中で識別するための手段とを含み得る。
【００２９】
[0029]本装置のいくつかの例では、第１のデータヘッダは、狭帯域物理制御チャネル中の制御送信によって割り振られた狭帯域データチャネルを介したデータの送信のための第２のデータヘッダとは異なるサイズを有し得る。いくつかの例では、データ送信は、データ識別子を用いて、復号された制御送信候補の巡回冗長検査値をデスクランブルすることによって識別され得る。いくつかの例では、データ送信は、制御チャネル送信のための少なくとも１つのフォーマットを識別する場合とは異なる長さを有する巡回冗長検査値を用いて、復号された制御送信候補のための巡回冗長検査を実施することによって識別され得る。いくつかの例では、狭帯域物理制御チャネルのリソースのセットは複数のリソース要素グループを含む。
【００３０】
[0030]一例では、ワイヤレスデバイスにおける通信のための別の装置が説明される。本装置は、プロセッサと、プロセッサと電子通信しているメモリと、メモリに記憶された命令とを含み得る。命令は、狭帯域物理制御チャネルを受信することと、狭帯域物理制御チャネル上の制御チャネル送信のための少なくとも１つのフォーマットと同じサイズを有する、狭帯域物理制御チャネルのリソースのセットにマッピングされた第１のデータヘッダとデータペイロードとを含むデータ送信を狭帯域物理制御チャネル中で識別することとを行うために、プロセッサによって実行可能であり得る。
【００３１】
[0031]いくつかの例では、第１のデータヘッダは、狭帯域物理制御チャネル中の制御送信によって割り振られた狭帯域データチャネルを介したデータの送信のための第２のデータヘッダとは異なるサイズを有し得る。いくつかの例では、データ送信は、データ識別子を用いて、復号された制御送信候補の巡回冗長検査値をデスクランブルすることによって識別され得る。いくつかの例では、データ送信は、制御チャネル送信のための少なくとも１つのフォーマットを識別する場合とは異なる長さを有する巡回冗長検査値を用いて、復号された制御送信候補のための巡回冗長検査を実施することによって識別され得る。いくつかの例では、狭帯域物理制御チャネルのリソースのセットは複数のリソース要素グループを含む。
【００３２】
[0032]一例では、通信のためのコンピュータ実行可能コードを記憶する別の非一時的コンピュータ可読媒体が説明される。コードは、狭帯域物理制御チャネルを受信することと、狭帯域物理制御チャネル上の制御チャネル送信のための少なくとも１つのフォーマットと同じサイズを有する、狭帯域物理制御チャネルのリソースのセットにマッピングされた第１のデータヘッダとデータペイロードとを含むデータ送信を狭帯域物理制御チャネル中で識別することとを行うために、プロセッサによって実行可能であり得る。
【００３３】
[0033]いくつかの例では、第１のデータヘッダは、狭帯域物理制御チャネル中の制御送信によって割り振られた狭帯域データチャネルを介したデータの送信のための第２のデータヘッダとは異なるサイズを有し得る。いくつかの例では、データ送信は、データ識別子を用いて、復号された制御送信候補の巡回冗長検査値をデスクランブルすることによって識別され得る。いくつかの例では、データ送信は、制御チャネル送信のための少なくとも１つのフォーマットを識別する場合とは異なる長さを有する巡回冗長検査値を用いて、復号された制御送信候補のための巡回冗長検査を実施することによって識別され得る。いくつかの例では、狭帯域物理制御チャネルのリソースのセットは複数のリソース要素グループを含む。
【００３４】
[0034]上記は、以下の発明を実施するための形態がより良く理解され得るように、本開示による例の特徴および技術的利点についてかなり広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００３５】
[0035]本開示の性質および利点のさらなる理解は、以下の図面を参照することによって実現され得る。添付の図では、同様の構成要素または特徴は同じ参照ラベルを有し得る。さらに、それらの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００３６】
【図１】[0036]本開示の様々な態様による、ワイヤレス通信システムの一例を示す図。
【図２】[0037]本開示の様々な態様による、ワイヤレス通信システムの一例を示す図。
【図３】[0038]本開示の様々な態様による、広帯域通信と狭帯域通信との間の共存を与える時間および周波数リソース割振りを示す図。
【図４】[0039]本開示の様々な態様による、時間および周波数リソース割振りを示す図。
【図５】[0040]本開示の様々な態様による、時間および周波数リソース割振りを示す図。
【図６】[0041]本開示の様々な態様による、時間および周波数リソース割振りを示す図。
【図７】[0042]本開示の様々な態様による、ワイヤレス通信において使用するためのデバイスのブロック図。
【図８】[0043]本開示の様々な態様による、ワイヤレス通信において使用するためのワイヤレスデバイスのブロック図。
【図９】[0044]本開示の様々な態様による、ワイヤレス通信において使用するためのワイヤレスデバイスのブロック図。
【図１０】[0045]本開示の様々な態様による、ワイヤレス通信において使用するためのワイヤレスデバイスのブロック図。
【図１１】[0046]本開示の様々な態様による、ワイヤレス通信において使用するための基地局（たとえば、ｅＮＢの一部または全部を形成する基地局）のブロック図。
【図１２】[0047]本開示の様々な態様による、ワイヤレス通信において使用するためのユーザ機器（ＵＥ）のブロック図。
【図１３】[0048]本開示の様々な態様による、基地局における通信のための方法の一例を示すフローチャート。
【図１４】[0049]本開示の様々な態様による、ワイヤレスデバイスにおける通信のための方法の一例を示すフローチャート。
【図１５】[0050]本開示の様々な態様による、ワイヤレスデバイスにおける通信のための方法の一例を示すフローチャート。
【図１６】[0051]本開示の様々な態様による、ワイヤレスデバイスにおける通信のための方法の一例を示すフローチャート。
【発明を実施するための形態】
【００３７】
[0052]説明される特徴は、概して、狭帯域（ＮＢ）物理チャネルを構成するための改善されたシステム、方法、および装置に関する。本技法は、狭帯域物理チャネルを送信する基地局と、狭帯域物理チャネルを受信するユーザ機器（ＵＥ）とによって様々に適用され得る。いくつかの例では、説明される技法は、基地局が、狭帯域通信と他の通信の両方に関連する基準信号の周りで狭帯域物理チャネルをレートマッチングすることを可能にする。いくつかの例では、説明される技法は、ワイヤレスデバイス（たとえば、ＵＥ）が、狭帯域物理制御チャネルのリソースと狭帯域ダウンリンクデータチャネルのリソースとの間のリソースマッピングに基づいて狭帯域ダウンリンクデータチャネル中のダウンリンクデータ送信のロケーションを決定することを可能にする。いくつかの例では、説明される技法は、ワイヤレスデバイス（たとえば、ＵＥ）が、制御チャネル送信のために使用可能なリソースにマッピングされたダウンリンクデータ送信を受信することを可能にする。
【００３８】
[0053]以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実施され得、様々なステップが追加、省略、または組み合わせられ得る。また、いくつかの例に関して説明される特徴は、他の例において組み合わせられ得る。
【００３９】
[0054]図１は、本開示の様々な態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク（backhaul links）１３２（たとえば、Ｓ１など）を通してコアネットワーク１３０とインターフェースし得、ＵＥ１１５との通信のための無線構成およびスケジューリングを実施し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ２など）を介して、直接または間接的にのいずれかで（たとえば、コアネットワーク１３０を通して）、互いと通信し得る。
【００４０】
[0055]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタ（図示せず）に分割され得る。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００４１】
[0056]いくつかの例では、ワイヤレス通信システム１００はＬＴＥ／ＬＴＥ−Ａネットワークを含み得、以下で説明されるように、狭帯域通信技法を採用し得る。ＬＴＥ／ＬＴＥ−Ａネットワークでは、発展型ノードＢ（ｅＮＢ）という用語は、基地局１０５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００４２】
[0057]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、マクロセルと同じまたは異なる（たとえば、認可、共有などの）無線周波数スペクトル帯域内で動作し得る低電力基地局であり得る。スモールセルは、様々な例によれば、ピコセル、フェムトセル、およびマイクロセルを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００４３】
[0058]ワイヤレス通信システム１００は同期動作または非同期動作をサポートし得る。同期動作の場合、基地局は同様のフレームタイミングを有し得、異なる基地局からの送信は時間的に近似的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００４４】
[0059]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実施し得る。媒体アクセス制御（ＭＡＣ：Medium Access Control）レイヤが、優先度処理と、トランスポートチャネルへの論理チャネルの多重化とを実施し得る。ＭＡＣレイヤはまた、リンク効率を改善するために、ＭＡＣレイヤにおける再送信を行うためにハイブリッドＡＲＱ（ＨＡＲＱ：Hybrid ARQ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と維持とを行い得る。物理（ＰＨＹ）レイヤにおいて、トランスポートチャネルは物理チャネルにマッピングされ得る。
【００４５】
[0060]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、ＮＢ−ＬＴＥデバイス、Ｍ２Ｍデバイス、マシンタイプ通信（ＭＴＣ）デバイス、拡張ＭＴＣ（ｅＭＴＣ）デバイス、ＮＢ−モノのインターネット（ＩｏＴ）デバイスなどであり得る。ＵＥは、マクロｅＮＢ、スモールセルｅＮＢ、リレー基地局などを含む、様々なタイプの基地局およびネットワーク機器と通信することが可能であり得る。
【００４６】
[0061]ワイヤレス通信システム１００に示されている通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。通信リンク１２５は、たとえば、広帯域物理制御チャネル（たとえば、物理ダウンリンク制御チャネル（ＰＤＣＣＨ：physical downlink control channel）または拡張ＰＤＣＣＨ（ｅＰＤＣＣＨ））、広帯域ダウンリンクデータチャネル（たとえば、物理ダウンリンク共有チャネル（ＰＤＳＣＨ：physical downlink shared channel））、狭帯域物理制御チャネル（たとえば、狭帯域ＰＤＣＣＨ（ＮＢ−ＰＤＣＣＨ：narrow-band PDCCH））、および狭帯域ダウンリンクデータチャネル（たとえば、ＮＢ−ＰＤＳＣＨ）のためのリソースを含み得る。
【００４７】
[0062]いくつかの例では、各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００４８】
[0063]図２は、本開示の様々な態様による、ワイヤレス通信システム２００の一例を示す。ワイヤレス通信システム２００は、ワイヤレス通信システム１００の一部分の一例であり得、第１の基地局１０５−ａと、第２の基地局１０５−ｂと、第１のＵＥ１１５−ａと、第２のＵＥ１１５−ｂとを含み得る。
【００４９】
[0064]いくつかの例では、第１の基地局１０５−ａは、広帯域通信を使用して第１のＵＥ１１５−ａと通信し得、第２の基地局１０５−ｂは、狭帯域通信を使用して第２のＵＥ１１５−ｂと通信し得る。広帯域通信および狭帯域通信は、同じ無線周波数スペクトル内で行われることがあり、したがって、広帯域通信を使用して通信するデバイスと狭帯域通信を使用するデバイスとの共存を可能にする様式で、広帯域通信および狭帯域通信のためのリソースを割り振ることが望ましいことがある。
【００５０】
[0065]ワイヤレス通信システム２００のいくつかの例では、第１の基地局１０５−ａは、さらに狭帯域通信が可能であり得るか、または第２の基地局１０５−ｂは、さらに広帯域通信が可能であり得る。同様に、第１のＵＥ１１５−ａは、さらに狭帯域通信が可能であり得るか、または第２のＵＥ１１５−ｂは、さらに広帯域通信が可能であり得る。
【００５１】
[0066]図３は、本開示の様々な態様による、広帯域通信と狭帯域通信との間の共存を与える時間および周波数リソース割振り３００を示す。広帯域通信は、第１の基地局と広帯域対応ワイヤレスデバイス（たとえば、ＵＥ）のセットとの間で行われ得る。狭帯域通信は、第１の基地局（または第２の基地局）と狭帯域対応ワイヤレスデバイス（たとえば、ＵＥ）のセットとの間で行われ得る。ワイヤレスデバイスは、広帯域対応ワイヤレスデバイスのセット、狭帯域対応ワイヤレスデバイスのセット、または広帯域対応ワイヤレスデバイスのセットと狭帯域対応ワイヤレスデバイスのセットの両方中に含まれ得る。いくつかの例では、第１の基地局および第２の基地局は、図１および図２を参照しながら説明された基地局１０５の例であり得、広帯域対応ワイヤレスデバイスおよび狭帯域対応ワイヤレスデバイスは、図１および図２を参照しながら説明されたＵＥ１１５の例であり得る。
【００５２】
[0067]広帯域通信と狭帯域通信との間の共存を与えるために、時間および周波数リソースは、広帯域（たとえば、ＬＴＥ／ＬＴＥ−Ａ）直交周波数分割多重化（ＯＦＤＭ）ヌメロロジー（numerology）およびリソースブロックに少なくとも部分的に基づいて、リソース割振りフレームワーク内で狭帯域通信のために割り振られ得る。狭帯域リソース割振りの第１の例では、帯域外ＬＴＥ／ＬＴＥ−Ａリソース（すなわち、ＬＴＥ／ＬＴＥ−Ａシステム帯域幅３０５の外側に位置するリソース）が、狭帯域通信のために割り振られ得る。狭帯域通信のために割り振られた帯域外ＬＴＥ／ＬＴＥ−Ａリソースは、（たとえば、２００ＫＨｚ  ＧＳＭ（登録商標）キャリアなどを再利用する）専用スペクトルリソース中に、またはＬＴＥ／ＬＴＥ−Ａシステム帯域幅３０５に隣接するガードバンド３１０中に位置し得る。狭帯域リソース割振りの第２および第３の例では、帯域内ＬＴＥ／ＬＴＥ−Ａリソース（すなわち、ＬＴＥ／ＬＴＥ−Ａシステム帯域幅３０５の内側に位置するリソース）が、狭帯域通信のために割り振られ得る。第２の例では、狭帯域通信のために割り振られた帯域内ＬＴＥ／ＬＴＥ−Ａリソースは、各サブフレーム中の周波数リソースの同じサブセットにわたるリソースブロックのセット３１５中に位置し得る。これは、ＬＴＥ／ＬＴＥ−Ａ周波数リソースのセットが狭帯域通信に専用であり、狭帯域通信が時間領域中でＬＴＥ／ＬＴＥ−Ａ通信と多重化されないので、専用帯域内狭帯域展開と呼ばれることがある。第３の例では、狭帯域通信のために割り振られた帯域内ＬＴＥリソースは、異なるサブフレーム中の異なるリソースボック中に位置し得る（たとえば、周波数リソースの第１のサブセットにわたるリソースブロックの第１のセット３２０が、サブフレームの第１のセット中の各サブフレーム中に（たとえば、サブフレームＳＦ０、ＳＦ１、およびＳＦ２中に）狭帯域通信のために割り振られ得、周波数リソースの第２のサブセットにわたるリソースブロックの第２のセット３２５が、サブフレームの第２のセット中の各サブフレーム中に（たとえば、サブフレームＳＦ２、ＳＦ３、およびＳＦ４中に）狭帯域通信のために割り振られ得る。
【００５３】
[0068]いくつかの例では、基地局は、より大きい送信電力または送信時間間隔（ＴＴＩ：transmission time interval）バンドリングが、受信デバイス（たとえば、基地局またはＵＥ）における受信を改善するために使用され得る、カバレージ拡張（ＣＥ：coverage enhancement）レベルを使用して１つまたは複数のワイヤレスデバイス（たとえば、ＵＥ）と通信し得る。ＴＴＩバンドリングは送信の繰返しを可能にし得、送信の繰返しは送信の検出または復号を改善し得る。いくつかの例では、異なる、送信電力、または送信電力およびＴＴＩバンドリングの組合せに関連する、複数のＣＥレベル（たとえば、４つのＣＥレベル）が定義され得る。
【００５４】
[0069]いくつかの例では、コストまたは他のファクタが、極めて低い複雑さを有する狭帯域ワイヤレスデバイス（たとえば、ＮＢ−ＩｏＴ  ＵＥ）を規定し得る。より低い複雑さは、部分的におよび例として、狭帯域ダウンリンクデータチャネルのための（たとえば、ＮＢ−ＰＤＳＣＨのための）単一の送信モードを使用することによって、またはターボコード（ＴＣ）の代わりにテールバイティング畳み込みコード（ＴＢＣＣ：tail-biting convolutional code）を使用して狭帯域ダウンリンクデータチャネルをコーディングすることによって達成され得る。より低い複雑さはまた、部分的におよび例として、狭帯域物理制御チャネル（たとえば、ＮＢ−ＰＤＣＣＨ）と狭帯域ダウンリンクデータチャネル（たとえば、ＮＢ−ＰＤＳＣＨ）の両方のための同じＣＥレベルまたはＭＣＳを使用することによって達成され得る。
【００５５】
[0070]ＬＴＥ／ＬＴＥ−Ａネットワーク中で現在使用されている物理制御チャネルは、ＰＤＣＣＨまたはｅＰＤＣＣＨを含む。ＰＤＣＣＨは、空間周波数ブロックコーディング（ＳＦＢＣ：space frequency block coding）プリコーディングを用いた復調のためにセル固有基準信号（ＣＲＳ）を使用し、システム帯域幅にわたってあらゆるリソースブロックの最初のＯＦＤＭシンボル期間（およびいくつかの例では、最初の数個のＯＦＤＭシンボル期間）中で送信される。ＬＴＥ／ＬＴＥ−Ａ  ＰＤＣＣＨフォーマットは、それの時分割多重化（ＴＤＭ）構造のために、狭帯域物理制御チャネルにとって望ましくないことがある。ｅＰＤＣＣＨは復調基準信号（ＤＭＲＳ：demodulation reference signal）プリコーディングベースであり、（ＰＤＣＣＨを送信するために使用されるＯＦＤＭシンボル期間を除いて）リソースブロックの全体にわたって数個のトーン中で送信される。ｅＰＤＣＣＨは、ｅＭＴＣ通信のために現在使用されているが、それがＤＭＲＳベースチャネル推定を伴うので、ある狭帯域通信にとって望ましくないことがある。
【００５６】
[0071]狭帯域通信のいくつかの例では、異なる送信モードが、狭帯域物理制御チャネル（たとえば、ＮＢ−ＰＤＣＣＨ）と狭帯域ダウンリンクデータチャネル（たとえば、ＮＢ−ＰＤＳＣＨ）とのために使用され得る。たとえば、ＤＭＲＳ復調を用いたプリコーダ循環（precoder cycling）が、狭帯域物理制御チャネルのために使用され得、ＣＲＳ復調を用いたＳＦＢＣが、狭帯域ダウンリンクデータチャネルのために使用され得る。代替的に、およびさらなる例として、狭帯域物理制御チャネルは、ＳＦＢＣまたはプリコーダ循環を用いたＣＲＳベースであり得、狭帯域ダウンリンクデータチャネルは、ＣＲＳベースの復調を用いたＳＦＢＣまたはプリコーダ循環を使用し得る。
【００５７】
[0072]狭帯域チャネルと、リソース許可と、ワイヤレスデバイス（たとえば、ＵＥ）との多重化が、異なる方法で実施され得る。いくつかの場合には、多重化は、周波数分割多重化（ＦＤＭ）技法を使用して実施され得る。第１の例では、いくつかのトーンは狭帯域物理制御チャネルに割り振られ得、他のトーンは狭帯域ダウンリンクデータチャネルに割り振られ得る。第２の例では、いくつかのトーンは第１のワイヤレスデバイスのための第１の許可に割り振られ得、他のトーンは第２のワイヤレスデバイスのための第２の許可に割り振られ得る。他の場合には、多重化は、時分割多重化（ＴＤＭ）技法を使用して実施され得る。第１の例では、いくつかのシンボル期間は狭帯域物理制御チャネルに割り振られ得、他のシンボル期間は狭帯域ダウンリンクデータチャネルに割り振られ得る。第２の例では、いくつかのシンボル期間は第１のワイヤレスデバイスのための第１の許可に割り振られ得、他のシンボル期間は第２のワイヤレスデバイスのための第２の許可に割り振られ得る。
【００５８】
[0073]追加または代替として、多重化は、リソース要素グループ（ＲＥＧ：resource element group）または拡張ＲＥＧ（ｅＲＥＧ：enhanced REG）技法を使用して実施され得る。第１の例では、ＲＥＧのうちのいくつかは狭帯域物理制御チャネルに割り振られ得、他のＲＥＧは狭帯域ダウンリンクデータチャネルに割り振られ得る。第２の例では、ＲＥＧのうちのいくつかは第１のワイヤレスデバイスのための第１の許可に割り振られ得、他のＲＥＧは第２のワイヤレスデバイスのための第２の許可に割り振られ得る。ＲＥＧまたはｅＲＥＧ技法を使用するとき、狭帯域物理制御チャネルと狭帯域ダウンリンクデータチャネルとへの割振りは、静的または半静的である（たとえば、システム情報ブロック（ＳＩＢ：system information block）中で、またはＲＲＣシグナリング中であらかじめ定義される）か、あるいは動的であり得る（たとえば、狭帯域物理制御チャネルはブラインド復号され、制御チャネル送信中のダウンリンク制御情報は、対応するダウンリンクデータ送信によって使用されるＲＥＧまたは制御チャネル要素（ＣＣＥ：control channel element）を示す）。
【００５９】
[0074]図４は、本開示の様々な態様による、帯域内展開における時間および周波数リソース割振り４００を示す。時間および周波数リソース割振り４００は、リソースブロック４０５のリソースがどのように狭帯域物理チャネルに割り振られ、いくつかの基準信号の周りでレートマッチングされ得るかの一例を示す。狭帯域物理チャネルは、狭帯域物理制御チャネル（たとえば、ＮＢ−ＰＤＣＣＨ）、または狭帯域ダウンリンクデータチャネル（たとえば、ＮＢ−ＰＤＳＣＨ）を含み得る。リソースブロック４０５は、複数の送信間隔（たとえば、サブフレーム）上でダウンリンクキャリア中で与えられる複数のリソースブロックのうちの１つであり得る。例として、リソースブロック４０５は、図３を参照しながら説明されたように、ＬＴＥ／ＬＴＥ−Ａキャリアに関して帯域内であるリソースブロックであり得る。
【００６０】
[0075]さらなる例として、基地局は、第１のタイプの１つまたは複数の通信デバイス（たとえば、ＬＴＥ／ＬＴＥ−Ａ通信デバイス）との通信に関連する１つまたは複数のＣＲＳに、リソースブロック４０５のリソース要素４１０の第１のセットを割り振り得る。第１のタイプの１つまたは複数の通信デバイスとの通信に関連するＣＲＳは、第２のタイプの１つまたは複数の通信デバイス（たとえば、狭帯域通信デバイス）によって認識されることも認識されないこともある（または使用可能であることも使用可能でないこともある）。基地局はまた、第２のタイプの１つまたは複数の通信デバイスとの通信に関連する１つまたは複数のＮＢ−ＣＲＳに、リソースブロック４０５のリソース要素４１５の第２のセットを割り振り得る。いくつかの例では、基地局は、さらに、広帯域物理チャネル（たとえば、第１のタイプの１つまたは複数の通信デバイスのためのＰＤＣＣＨ）に、リソースブロック４０５のリソース要素４２０の第３のセットを割り振り得る。広帯域物理チャネルはリソースブロック４０５の３つのシンボル期間にわたるが、代替例では、より多いまたはより少ないシンボル期間にわたることがある。
【００６１】
[0076]基地局は、第２のタイプの１つまたは複数の通信デバイスとの通信のための狭帯域物理チャネルに、他の目的のために割り振られなかったリソースブロック４０５のリソース要素４２５を割り振り得る。割り振られたリソースは、いくつかの例では、ＲＥＧのグループとして（たとえば、制御チャネル要素（ＣＣＥ）として）割り振られ得る、複数のＲＥＧ４３０を含み得る。割り振られたリソース（たとえば、ＲＥＧまたはＣＣＥ）は、基準信号に割り振られたリソース要素の周りでレートマッチングされ得る。たとえば、ＲＥＧ  Ｂ４３０−ｂは、ＣＲＳに割り振られたリソース要素４１０の第１のセットの周りでレートマッチングされ得るが、ＲＥＧ  Ａ４３０−ａは、ＮＢ−ＣＲＳに割り振られたリソース要素４１５の第２のセットの周りでレートマッチングされ得る。ＲＥＧ  Ｃ４３０−ｃは、ＣＲＳまたはＮＢ−ＣＲＳリソースと重複しないことがあり、レートマッチングされないことがある。各ＲＥＧが４つのリソース要素を含むとき、３つのＲＥＧは、シンボル期間５、９、および１２の各々中で狭帯域物理チャネルに割り振られ得、２つのＲＥＧは、シンボル期間３、４、６、７、８、１０、１１、および１３の各々中で狭帯域物理チャネルに割り振られ得る。
【００６２】
[0077]いくつかの例では、情報（たとえば、制御チャネル送信またはダウンリンクデータ送信）は、狭帯域物理チャネルに割り振られたリソースのサブセット（またはすべて）にマッピングされ、第２のタイプの１つまたは複数の通信デバイスに送信され得る。いくつかの例では、情報は、ＦＤＭ技法を使用して異なるサブキャリアにマッピングされ得るか、または、情報は、ＴＤＭ技法を使用して異なるシンボル期間にマッピングされ得る。他の例では、情報は、ＲＥＧまたはＣＣＥに従ってマッピングされ得る。いくつかの例では、異なる情報は、異なるＵＥへの送信のための狭帯域物理チャネルに割り振られたリソースの異なるサブセットにマッピングされ得る。たとえば、情報は、各ＵＥのための時間領域中のリソースのサブセット、各ＵＥのための周波数領域中のリソースのサブセット、または時間周波数リソース（たとえば、各ＵＥのための異なるＲＥＧまたはＣＣＥ）の組合せにマッピングされ得る。以下で説明されるように、ＲＥＧ４３０は、プリコーダ循環が適用され得る（たとえば、連続ＲＥＧは、プリコーダのセットに従って別様にプリコーディングされ得るなど）。
【００６３】
[0078]リソースブロック４０５のリソースが狭帯域物理制御チャネル（たとえば、ＮＢ−ＰＤＣＣＨ）に割り振られたとき、狭帯域物理制御チャネルのＲＥＧは、図示のようにＰＤＣＣＨのＲＥＧと同様に、またはｅＰＤＣＣＨの拡張ＲＥＧ（ｅＲＥＧ）と同様に、ただしＤＭＲＳの周りでレートマッチングすることなしに（図示せず）、定義され得る。狭帯域物理制御チャネルのＲＥＧが、リソース要素４２０の第３のセットの一部または全部を使用して送信されるＰＤＣＣＨのＲＥＧと同様に定義されるとき、リソース要素４２０の第３のセットによって定義されるＲＥＧの１つまたは複数のシンボル期間は、ＰＤＣＣＨのために必要とされないときに狭帯域物理制御チャネルに再割り振りされ得る。
【００６４】
[0079]図５は、本開示の様々な態様による、スタンドアロン展開またはガードバンド展開における時間および周波数リソース割振り５００を示す。時間および周波数リソース割振り５００は、リソースブロック５０５のリソースがどのように狭帯域物理チャネルに割り振られ、いくつかの基準信号の周りでレートマッチングされ得るかの一例を示す。狭帯域物理チャネルは、狭帯域物理制御チャネル（たとえば、ＮＢ−ＰＤＣＣＨ）、または狭帯域ダウンリンクデータチャネル（たとえば、ＮＢ−ＰＤＳＣＨ）を含み得る。リソースブロック５０５は、複数の送信間隔（たとえば、サブフレーム）上でダウンリンクキャリア中で与えられる複数のリソースブロックのうちの１つであり得る。例として、リソースブロック５０５は、図３を参照しながら説明されたように、（たとえば、ＬＴＥ／ＬＴＥ−Ａキャリアの帯域内でない）狭帯域物理チャネルのスタンドアロン展開のリソースブロックであり得る。
【００６５】
[0080]さらなる例として、基地局は、１つまたは複数の狭帯域通信デバイスとの通信との通信に関連する１つまたは複数のＮＢ−ＣＲＳに、リソースブロック５０５のリソース要素５１０のセットを割り振り得る。リソースブロック５０５が、ＬＴＥ／ＬＴＥ−Ａ無線周波数スペクトル帯域に対するスタンドアロンリソースブロックであるので、基地局は、図４を参照しながら説明されたように、ＣＲＳまたは広帯域物理チャネルにリソースブロック５０５のリソース要素を割り振らないことがある。
【００６６】
[0081]基地局は、狭帯域通信デバイスとの通信のための狭帯域物理チャネルに、他の目的のために割り振られなかったリソースブロック５０５のリソース要素５１５を割り振り得る。割り振られたリソースは、いくつかの例では、ＲＥＧのグループとして（たとえば、ＣＣＥとして）割り振られ得る、複数のＲＥＧ５２０を含み得る。割り振られたリソース（たとえば、ＲＥＧまたはＣＣＥ）は、ＮＢ−ＣＲＳに割り振られたリソース要素５１０のセットの周りでレートマッチングされ得る。各ＲＥＧが４つのリソース要素を含むとき、３つのＲＥＧは、シンボル期間０、１、２、４、５、７、８、９、１１、および１２の各々中で狭帯域物理チャネルに割り振られ得、２つのＲＥＧは、シンボル期間３、６、１０、および１３の各々中で狭帯域物理チャネルに割り振られ得る。
【００６７】
[0082]いくつかの例では、情報（たとえば、制御チャネル送信またはダウンリンクデータ送信）は、狭帯域物理チャネルに割り振られたリソースのサブセット（またはすべて）にマッピングされ、１つまたは複数の狭帯域通信デバイスに送信され得る。いくつかの例では、情報は、ＦＤＭ技法を使用して異なるサブキャリアにマッピングされ得るか、または、情報は、ＴＤＭ技法を使用して異なるシンボル期間にマッピングされ得る。他の例では、情報は、ＲＥＧまたはＣＣＥに従ってマッピングされ得る。いくつかの例では、異なる情報は、異なるＵＥへの送信のための狭帯域物理チャネルに割り振られたリソースの異なるサブセットにマッピングされ得る。たとえば、情報は、各ＵＥのための時間領域中のリソースのサブセット、各ＵＥのための周波数領域中のリソースのサブセット、または時間周波数リソース（たとえば、各ＵＥのための異なるＲＥＧまたはＣＣＥ）の組合せにマッピングされ得る。
【００６８】
[0083]リソースブロック５０５のリソースが狭帯域物理制御チャネル（たとえば、ＮＢ−ＰＤＣＣＨ）に割り振られたとき、狭帯域物理制御チャネルのＲＥＧは、ＰＤＣＣＨのＲＥＧと同様に（図示せず）、またはｅＰＤＣＣＨのＲＥＧと同様に、ただしＤＭＲＳの周りでレートマッチングすることなしに（図示せず）、定義され得る。
【００６９】
[0084]（図４および図５を参照しながら説明された）リソースブロック４０５および５０５のリソースが狭帯域物理制御チャネル（たとえば、ＮＢ−ＰＤＣＣＨ）に割り振られたとき、基地局は、制御チャネル送信のための探索空間の開始をワイヤレスデバイス（たとえば、狭帯域通信デバイス）に示し得る。制御チャネル送信のための候補開始位置であるリソース要素、および／または制御チャネル送信のアグリゲーションレベルは、展開モード（たとえば、図３を参照しながら説明されたように、スタンドアロン、ガードバンド、または帯域内）またはカバレージ拡張レベルなど、ファクタに基づいて変動し得る。いくつかの場合には、制御チャネル送信のアグリゲーションレベルは、リソース（たとえば、トーン、シンボル期間、またはＲＥＧ）の変動するサブセット上での送信に関連し得る。たとえば、アグリゲーションレベル１が、リソースの第１のサブセットまたはリソースの第２のセット上での送信に関連し得、アグリゲーションレベル２が、リソースの第１のサブセットとリソースの第２のサブセットとにわたるリソースのセット上での送信に関連し得る。リソースブロック４０５および５０５のリソースが狭帯域ダウンリンクデータチャネル（たとえば、ＮＢ−ＰＤＳＣＨ）に割り振られたとき、ダウンリンクデータ送信のロケーションはリソース許可中で識別され得るか、または図６を参照しながら説明されるように、制御およびデータリソースのリンケージ（linkage）に基づき得る。
【００７０】
[0085]いくつかの例では、共通送信モードが、狭帯域物理制御チャネル（たとえば、ＮＢ−ＰＤＣＣＨ）と狭帯域ダウンリンクデータチャネル（たとえば、ＮＢ−ＰＤＳＣＨ）の両方のために使用され得る。いくつかの例では、共通送信モードはＳＦＢＣ送信モードを含み得る。ＳＦＢＣ送信モードは、ＵＥが同時に複数の（たとえば、２つの）アンテナから電力を受信するという点で有用であり得る。しかしながら、ＳＦＢＣ送信モードは、いくつかの他のチャネルまたは信号（たとえば、チャネル状態情報基準信号（ＣＳＩ−ＲＳ））の周りでレートマッチングするときに供給が限られ得るリソース要素のペアを必要とする。他の例では、共通送信モードは、連続リソース要素またはＲＥＧにマッピングされた情報が、プリコーダのセットのうちの異なるプリコーダに従ってプリコーディングされ得る、プリコーダ循環送信モードを含み得る。プリコーダ循環送信モードは、いくつかの例では、ＣＲＳとＮＢ−ＣＲＳとに基づき得る。プリコーダ循環の一例では、各連続リソース要素またはＲＥＧは、異なる送信アンテナを使用し得る（たとえば、プリコーダのセットはプリコーダ［１，０］および[，１］を含み得る）。プリコーダ循環の別の例では、プリコーダのセットは、仕様において、ＳＩＢ中で、またはＲＲＣシグナリング中で定義され得、基地局はプリコーダのセットを循環し得る。
【００７１】
[0086]図６は、本開示の様々な態様による、時間および周波数リソース割振り６００を示す。時間および周波数リソース割振り６００は、狭帯域物理制御チャネル（たとえば、ＮＢ−ＰＤＣＣＨ）のリソースと狭帯域ダウンリンクデータチャネル（たとえば、ＮＢ−ＰＤＳＣＨ）のリソースとの間のリンケージの一例を示す。狭帯域物理制御チャネルおよび狭帯域ダウンリンクデータチャネルは、図３を参照しながら説明されたように、スタンドアロン、ガードバンド、または帯域内チャネルとして様々に展開され得る。例として、狭帯域物理制御チャネルは、第１の送信間隔６０５−ａ（たとえば、第１のサブフレーム）中の割り振られたリソースであることが示されており、狭帯域ダウンリンクデータチャネルは、第２の送信間隔６０５−ｂおよび第３の送信間隔６０５−ｃ中の割り振られたリソースであることが示されている。送信間隔は、時間的に互いに続き得る。いくつかの例では、第２の送信間隔６０５−ｂは、１つまたは複数の他の送信間隔だけ第１の送信間隔６０５−ａから分離され得る（図示せず）。いくつかの例では、狭帯域物理制御チャネルは、２つ以上の送信間隔（たとえば、ＴＴＩバンドリングなど）中でリソースを割り振られ得るか、または狭帯域ダウンリンクデータチャネルは、より多いまたはより少ない送信間隔（たとえば、ＴＴＩバンドリングなど）中でリソースを割り振られ得る。いくつかの例では、狭帯域ダウンリンクデータチャネルの一部または全部は、第１の送信間隔の一部分を占有し得る（図示せず）。
【００７２】
[0087]いくつかの例では、送信間隔６０５のリソース要素のうちのいくつかは、１つまたは複数の基準信号、１つまたは複数の他の制御チャネル（たとえば、ＰＤＣＣＨ）、および／または１つまたは複数の他の信号を送信するために基地局によって使用され得る。たとえば、基地局は、図４および図５を参照しながら説明されたように、送信間隔６０５のリソース要素のうちのいくつかを使用してＣＲＳまたはＮＢ−ＣＲＳ６１０を送信し得る。送信間隔６０５の他のリソース要素は、狭帯域物理制御チャネルと狭帯域ダウンリンクデータチャネルとを送信するために基地局によって使用され得る。
【００７３】
[0088]例として、図６は、狭帯域物理制御チャネルが第１の送信間隔６０５−ａの１５２個のリソース要素６１５上で送信されることを示す。いくつかの例では、１５２個のリソース要素は３８個のＲＥＧまたは４つのＣＣＥに割り振られ得る。リソース要素、ＲＥＧ、ＣＣＥ、または狭帯域物理制御チャネルの他の送信ユニットは、同じまたは異なるＵＥに割り振られ得る。いくつかの例では、２つまたはそれ以上のＵＥへの送信が、第１の送信間隔６０５−ａ内で多重化され得る。
【００７４】
[0089]例として、図６は、狭帯域ダウンリンクデータチャネルが第２の送信間隔６０５−ｂおよび第３の送信間隔６０５−ｃの各々の１５２個のリソース要素６２０上で送信されることをも示す。狭帯域物理制御チャネルがそれの上で送信されるリソース要素と同様に、狭帯域ダウンリンクデータチャネルのリソース要素は３８個のＲＥＧまたは４つのＣＣＥに割り振られ得る。
【００７５】
[0090]リソースマッピングは、狭帯域物理制御チャネル中の制御チャネル送信と狭帯域ダウンリンクデータチャネル中のダウンリンクデータ送信との間で確立され得る。いくつかの例では、リソースマッピングは、狭帯域物理制御チャネル中の制御チャネル送信の第１のリソースインデックス６３５と、狭帯域ダウンリンクデータチャネル中のダウンリンクデータ送信の第２のリソースインデックス６４０との間のマッピングを含み得る。いくつかの例では、第１のリソースインデックス６３５は、狭帯域物理制御チャネルの展開モードに基づいて（たとえば、図３を参照しながら説明された展開モードのうちの１つに基づいて）決定され得る。いくつかの例では、第１のリソースインデックス６３５は、制御チャネル送信が狭帯域物理制御チャネル中でオフセットされた第１の数のＲＥＧを含み得、第２のリソースインデックス６４０は、ダウンリンクデータ送信が狭帯域ダウンリンクデータチャネル中でオフセットされた第２の数のＲＥＧを含み得る。図６では、（４つのリソース要素それぞれの）８つのＲＥＧだけオフセットされた第１のリソースインデックス６３５を有する第１の制御チャネル送信６２５と、８つのＲＥＧの第２のリソースインデックス６４０を有する対応する（すなわち、リンクされた）第１のダウンリンクデータ送信６３０とが示されている。いくつかの例では、図示のように、第１のリソースインデックス６３５と第２のリソースインデックス６４０とは同じであり得る（たとえば、第１のリソースインデックスと第２のリソースインデックスとはそれぞれ、同じオフセットまたは同数のＲＥＧを示し得る）。いくつかの例では、第１のリソースインデックス６３５と第２のリソースインデックス６４０とは異なり得る。いくつかの例では、リソースインデックスは、ＲＥＧの数以外の送信ユニット（たとえば、ＲＥの数またはＣＣＥの数）に関するオフセットを示し得る。リソースインデックスは、ＵＥ識別子、および基地局によって（たとえば、システム情報などにおいて）伝達された他のマッピングパラメータに基づいて決定され得る。
【００７６】
[0091]いくつかの例では、制御チャネル送信は、対応する（すなわち、リンクされた）ダウンリンクデータ送信のためのリソース許可のインジケータを含み得る。リソース許可のインジケータは、たとえば、ワイヤレスデバイスの識別子、ダウンリンクデータ送信のトランスポートブロック（ＴＢ）サイズ、ダウンリンクデータ送信のサブフレームの数（たとえば、ダウンリンクデータ送信が繰り返される送信間隔の数）、ダウンリンクデータ送信のための変調およびコーディング方式（ＭＣＳ）、またはそれらの組合せを含むか、あるいはそれらに基づき得る。いくつかの例では、リソース許可は、狭帯域物理データチャネル中に許可のロケーションを示す情報を含まない。いくつかの例では、リソース許可は、先行する情報の存在から推論され得る（またはそれにおいて暗黙的であり得る）。ダウンリンクデータ送信の送信パラメータ（たとえば、ダウンリンクデータ送信のＴＢサイズ、ダウンリンクデータ送信のサブフレームの数、またはダウンリンクデータ送信のためのＭＣＳ）は、制御チャネル送信の対応する送信パラメータと同じであるか、またはそれとは異なり得る。
【００７７】
[0092]いくつかの例では、ワイヤレスデバイス（たとえば、ＵＥ）は、狭帯域物理制御チャネルのブラインド復号に基づいて制御チャネル送信を識別し得る。制御チャネル送信を識別すると、ワイヤレスデバイスは、次いで、（制御チャネル送信のロケーションを含む）制御チャネル送信中に含まれる情報、および制御チャネル送信とダウンリンクデータ送信との間のマッピングに基づいて、対応する（すなわち、リンクされた）ダウンリンクデータ送信を識別し得る。
【００７８】
[0093]狭帯域物理制御チャネル（たとえば、ＮＢ−ＰＤＣＣＨ）と狭帯域ダウンリンクデータチャネル（たとえば、ＮＢ−およびＰＤＳＣＨ）とが同じＭＣＳを使用するとき、およびダウンリンクデータ送信が十分に小さいとき、ダウンリンクデータ送信は、狭帯域物理制御チャネルのために使用可能なリソースを使用して送信され得る。たとえば、ワイヤレスデバイス（たとえば、ＵＥ）が、（巡回冗長検査（ＣＲＣ）ビットを含む）サイズＭを有する制御チャネル送信（たとえば、ダウンリンク制御情報（ＤＣＩ））について探索空間を監視している場合、狭帯域ダウンリンクデータチャネルの制御チャネル送信と同じまたはより小さいサイズを有する、狭帯域ダウンリンクデータチャネルのダウンリンクデータ送信は、場合によっては制御チャネル送信のために使用可能なリソースのセット上で送信され得る。
【００７９】
[0094]いくつかの例では、ダウンリンクデータ送信はデータヘッダとデータペイロードとを含み得、基地局は、狭帯域物理制御チャネルのリソースのセットにダウンリンクデータ送信（たとえば、データヘッダ、データペイロード、および関連するＣＲＣ情報）をマッピングし得、リソースのそのセットは、狭帯域物理制御チャネル上での（たとえば、ＣＲＣ情報を含む）制御チャネル送信のためのフォーマットと同じサイズを有する。いくつかの例では、ダウンリンクデータ送信がマッピングされたリソースのセットは、ＲＥＧのセット（たとえば、ＲＥＧのうちの１つまたは複数）を含み得る。
【００８０】
[0095]ワイヤレスデバイス（たとえば、ＵＥ）が、場合によっては制御チャネル送信のために使用可能なリソースのセットにマッピングされたダウンリンクデータ送信を識別することを可能にするために、基地局は、ダウンリンクデータ送信のためのＣＲＣスクランブリングを変更するか、またはダウンリンクデータ送信のためのＣＲＣサイズを変更し得る。たとえば、基地局は、ダウンリンクデータ送信のためのＣＲＣスクランブリングにデータ識別子（たとえば、データ比ネットワーク一時識別子（ＲＮＴＩ））を導入し得る。送信を復号するワイヤレスデバイスは、送信がダウンリンクデータ送信の制御チャネル送信であるかどうかを決定するために、送信のためのＣＲＣ値が制御ＲＮＴＩに関連するのかデータＲＮＴＩに関連するのかを決定し得る。代替または追加として、および別の例として、基地局は、ダウンリンクデータ送信のためのＣＲＣサイズを増加させ得る。しかしながら、ダウンリンクデータ送信の総サイズを制御チャネル送信と同じサイズを保つために、基地局は、ダウンリンクデータ送信のペイロードサイズを低減し得る。たとえば、制御チャネル送信が１６ビットのＣＲＣサイズを有し、ダウンリンクデータ送信が２４ビットのＣＲＣサイズを有する場合、ダウンリンクデータ送信のペイロードは、制御チャネル送信のペイロードよりも８ビット小さくなり得る。いくつかの例では、ワイヤレスデバイスは、送信のための単一のＴＢＣＣ復号を実施し、次いで、送信がダウンリンクデータ送信の制御チャネル送信であるかどうかを決定するために（場合によってはスクランブルされた）ＣＲＣサイズを検査し得る。
【００８１】
[0096]いくつかの例では、場合によっては制御チャネル送信のために使用可能なリソースのセットにマッピングされたダウンリンクデータ送信は、狭帯域データチャネルを介したデータの送信（たとえば、狭帯域物理制御チャネル中の制御送信によって割り振られた狭帯域データチャネルを介したデータの送信）のために使用されるヘッダとは異なるサイズであるヘッダを有し得る。たとえば、場合によっては制御チャネル送信のために使用可能なリソースのセットにマッピングされたダウンリンクデータ送信のヘッダは、狭帯域データチャネルを介したデータの送信のために使用されるヘッダよりも小さいヘッダを有し得る。より小さいヘッダは、ダウンリンクデータ送信のデータペイロードのサイズを最大にするのを助け得る。いくつかの例では、より小さいヘッダは、（固定ペイロードサイズ（たとえば、ＴＢサイズ）または少数の仮説を示す）低減されたペイロードフィールドを有し、（固定論理チャネル識別子（ＬＣＩＤ：logical channel identifier）または少数のＬＣＩＤを示す）低減されたＬＣＩＤフィールドを有し、（たとえば、ペイロードフィールドが一定または半静的であり得るので）Ｆフィールドを有せず、および／あるいは予約済みビットまたは拡張ビットを有しないことがある。
【００８２】
[0097]図７は、本開示の様々な態様による、ワイヤレス通信において使用するためのデバイス７０５のブロック図７００を示す。デバイス７０５は、図１および図２を参照しながら説明された基地局１０５のうちの１つまたは複数の態様の一例であり得る。デバイス７０５はまた、プロセッサであるか、またはプロセッサを含み得る。デバイス７０５は、受信機７１０、ワイヤレス通信マネージャ７２０、または送信機７３０を含み得る。これらの構成要素の各々は互いと通信していることがある。たとえば、受信機７１０は情報７７５をワイヤレス通信マネージャ７２０に渡し得、ワイヤレス通信マネージャ７２０は情報７７５を受信機７１０に渡し得る。同様に、ワイヤレス通信マネージャ７２０は情報７８０を送信機７３０に渡し得、送信機７３０は情報７８０をワイヤレス通信マネージャ７２０に渡し得る。
【００８３】
[0098]デバイス７０５の構成要素は、適用可能な機能の一部または全部をハードウェアで実施するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る集積回路の他のもの（たとえば、ストラクチャード／プラットフォームＡＳＩＣ、フィールドプログラマブルゲートアレイ（ＦＰＧＡ）、システムオンチップ（ＳｏＣ）、および／またはセミカスタムＩＣの他のもの）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００８４】
[0099]いくつかの例では、受信機７１０は、少なくとも１つの無線周波数スペクトル帯域上での送信を受信するように動作可能な少なくとも１つの無線周波数（ＲＦ）受信機など、少なくとも１つのＲＦ受信機を含み得る。いくつかの例では、少なくとも１つの無線周波数スペクトル帯域のうちの１つまたは複数が、たとえば、図１〜図６を参照しながら説明されたように、狭帯域通信（たとえば、ＮＢ−ＬＴＥ通信）のために使用され得る。受信機７１０は、図１または図２を参照しながら説明されたワイヤレス通信システム１００または２００の１つまたは複数の通信リンクなど、ワイヤレス通信システムの１つまたは複数の通信リンク上で様々なデータまたは制御信号（すなわち、送信）を受信するために使用され得る。
【００８５】
[0100]いくつかの例では、送信機７３０は、少なくとも１つの無線周波数スペクトル帯域上で送信するように動作可能な少なくとも１つのＲＦ送信機など、少なくとも１つのＲＦ送信機を含み得る。送信機７３０は、図１または図２を参照しながら説明されたワイヤレス通信システム１００または２００の１つまたは複数の通信リンクなど、ワイヤレス通信システムの１つまたは複数の通信リンク上で様々なデータまたは制御信号（すなわち、送信）を送信するために使用され得る。
【００８６】
[0101]いくつかの例では、ワイヤレス通信マネージャ７２０は、デバイス７０５のためのワイヤレス通信の１つまたは複数の態様を管理するために使用され得る。いくつかの例では、ワイヤレス通信マネージャ７２０の一部は、受信機７１０または送信機７３０に組み込まれるか、あるいはそれと共有され得る。いくつかの例では、ワイヤレス通信マネージャ７２０は、ＣＲＳリソースアロケータ７３５、ＮＢ−ＣＲＳリソースアロケータ７４５、狭帯域物理チャネルリソースアロケータ７５５、狭帯域送信マネージャ７６５、またはプリコーダ循環器（precoder cycler）７７０を含み得る。
【００８７】
[0102]ＣＲＳリソースアロケータ７３５は、複数のサブフレーム上の複数のリソースブロックを含むダウンリンクキャリア中で、第１のタイプの１つまたは複数の通信デバイス（たとえば、ＬＴＥ／ＬＴＥ−Ａ通信デバイス）との通信に関連するＣＲＳのために、リソース要素の第１のセットを割り振るために使用され得る。ＣＲＳリソースアロケータ７３５は、次いで、ＣＲＳリソース割振り情報７４０を狭帯域物理チャネルリソースアロケータ７５５に渡し得る。
【００８８】
[0103]ＮＢ−ＣＲＳリソースアロケータ７４５は、ダウンリンクキャリア中で、第２のタイプの１つまたは複数の通信デバイス（たとえば、ＬＴＥ／ＬＴＥ−Ａ通信デバイス）との通信に関連するＮＢ−ＣＲＳのために、リソース要素の第２のセットを割り振るために使用され得る。ＮＢ−ＣＲＳリソースアロケータ７４５は、次いで、ＮＢ−ＣＲＳリソース割振り情報７５０を狭帯域物理チャネルリソースアロケータ７５５に渡し得る。
【００８９】
[0104]狭帯域物理チャネルリソースアロケータ７５５は、ＣＲＳリソースアロケータ７３５からＣＲＳリソース割振り情報７４０を受信し、ＮＢ−ＣＲＳリソースアロケータ７４５からＮＢ−ＣＲＳリソース割振り情報７５０を受信し得る。狭帯域物理チャネルリソースアロケータ７５５は、次いで、第２のタイプの１つまたは複数の通信デバイス（たとえば、狭帯域通信デバイス）との通信のための狭帯域物理チャネル（たとえば、ＮＢ−ＰＤＣＣＨまたはＮＢ−ＰＤＳＣＨ）に、複数のリソースブロックのうちのリソースブロックのリソースを割り振るために、この情報を使用し得る。割り振られたリソースは複数のＲＥＧを含み得、複数のＲＥＧは、リソース要素の第１のセットとリソース要素の第２のセットとの周りでレートマッチングされる。狭帯域物理チャネルリソースアロケータ７５５は、次いで、リソース割振り情報７６０を狭帯域送信マネージャ７６５に渡し得る。
【００９０】
[0105]狭帯域送信マネージャ７６５は、狭帯域物理チャネルリソースアロケータ７５５からリソース割振り情報７６０を受信し得る。狭帯域送信マネージャ７６５は、次いで、第２のタイプの１つまたは複数の通信デバイスに、狭帯域物理チャネルの割り振られたリソースのサブセットにマッピングされた情報（たとえば、制御チャネル送信またはダウンリンクデータ送信）を送信するために、この情報を使用し得る。
【００９１】
[0106]プリコーダ循環器７７０は、プリコーダのセットによる情報のマッピングのために使用される連続リソース要素またはＲＥＧを循環的にプリコーディングするために使用され得る。
【００９２】
[0107]図８は、本開示の様々な態様による、ワイヤレス通信において使用するためのワイヤレスデバイス８１５のブロック図８００を示す。ワイヤレスデバイス８１５は、図１および図２を参照しながら説明されたＵＥ１１５のうちの１つまたは複数の態様の一例であり得る。ワイヤレスデバイス８１５はまた、プロセッサであるか、またはプロセッサを含み得る。ワイヤレスデバイス８１５は、受信機８１０、ワイヤレス通信マネージャ８２０、または送信機８３０を含み得る。これらの構成要素の各々は互いと通信していることがある。たとえば、受信機８１０は情報８６０をワイヤレス通信マネージャ８２０に渡し得、ワイヤレス通信マネージャ８２０は情報８６０を受信機８１０に渡し得る。同様に、ワイヤレス通信マネージャ８２０は情報８６５を送信機８３０に渡し得、送信機８３０は情報８６５をワイヤレス通信マネージャ８２０に渡し得る。
【００９３】
[0108]ワイヤレスデバイス８１５の構成要素は、適用可能な機能の一部または全部をハードウェアで実施するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る集積回路の他のもの（たとえば、ストラクチャード／プラットフォームＡＳＩＣ、ＦＰＧＡ、ＳｏＣ、および／またはセミカスタムＩＣの他のもの）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００９４】
[0109]いくつかの例では、受信機８１０は、少なくとも１つの無線周波数スペクトル帯域上での送信を受信するように動作可能な少なくとも１つのＲＦ受信機など、少なくとも１つのＲＦ受信機を含み得る。いくつかの例では、少なくとも１つの無線周波数スペクトル帯域のうちの１つまたは複数が、たとえば、図１〜図６を参照しながら説明されたように、狭帯域通信（たとえば、ＮＢ−ＬＴＥ通信）のために使用され得る。受信機８１０は、狭帯域物理チャネルに割り振られたリソースのサブセットにマッピングされた情報を受信するために使用され得る。受信機８１０は、図１または図２を参照しながら説明されたワイヤレス通信システム１００または２００の１つまたは複数の通信リンクなど、ワイヤレス通信システムの１つまたは複数の通信リンク上で様々なデータまたは制御信号（すなわち、送信）を受信するためにも使用され得る。
【００９５】
[0110]いくつかの例では、送信機８３０は、少なくとも１つの無線周波数スペクトル帯域上で送信するように動作可能な少なくとも１つのＲＦ送信機など、少なくとも１つのＲＦ送信機を含み得る。送信機８３０は、図１または図２を参照しながら説明されたワイヤレス通信システム１００または２００の１つまたは複数の通信リンクなど、ワイヤレス通信システムの１つまたは複数の通信リンク上で様々なデータまたは制御信号（すなわち、送信）を送信するために使用され得る。
【００９６】
[0111]いくつかの例では、ワイヤレス通信マネージャ８２０は、ワイヤレスデバイス８１５のためのワイヤレス通信の１つまたは複数の態様を管理するために使用され得る。いくつかの例では、ワイヤレス通信マネージャ８２０の一部は、受信機８１０または送信機８３０に組み込まれるか、あるいはそれらと共有され得る。いくつかの例では、ワイヤレス通信マネージャ８２０は、展開モード決定器８３５、レートマッチング構成決定器８４５、またはデコーダ８５５を含み得る。
【００９７】
[0112]展開モード決定器８３５は、狭帯域物理チャネルの展開モードを決定するために使用され得る。展開モードは、帯域内展開モード、スタンドアロン展開モード、またはガードバンド展開モードであり得る。展開モードを決定した後に、展開モード決定器８３５は展開モード８４０をレートマッチング構成決定器８４５に渡し得る。
【００９８】
[0113]レートマッチング構成決定器８４５は展開モード決定器８３５から展開モード８４０を受信し得る。レートマッチング構成決定器８４５は、次いで、展開モードに基づいて、狭帯域物理チャネルに割り振られたリソースのサブセットに関連するレートマッチング構成を決定するために使用され得る。いくつかの例では、狭帯域物理チャネルに割り振られたリソースのサブセットは、（たとえば、帯域内展開モードの場合）ＣＲＳに割り振られたリソース要素の第１のセットと、ＮＢ−ＣＲＳに割り振られたリソース要素の第２のセットとの周りでレートマッチングされ得る。他の例では、狭帯域物理チャネルに割り振られたリソースのサブセットは、（たとえば、スタンドアロン展開モードまたはガードバンド展開モードの場合）ＮＢ−ＣＲＳに割り振られたリソース要素のセットの周りでレートマッチングされ得る。いくつかの場合には、割り振られたリソースは複数のＲＥＧを含み得、複数のＲＥＧは、ＮＢ−ＣＲＳに割り振られたリソース要素のセットの周りでレートマッチングされ得る。
【００９９】
[0114]いくつかの場合には、デコーダ８５５は受信機８１０から情報８６０を受信し得、デコーダ８５５はレートマッチング構成決定器８４５からレートマッチング構成８５０を受信し得る。デコーダ８５５は、次いで、レートマッチング構成８５０に基づいて、受信された情報８６０を復号し得る。
【０１００】
[0115]図９は、本開示の様々な態様による、ワイヤレス通信において使用するためのワイヤレスデバイス９１５のブロック図９００を示す。ワイヤレスデバイス９１５は、図１および図２を参照しながら説明されたＵＥ１１５のうちの１つまたは複数の態様の一例であり得る。ワイヤレスデバイス９１５はまた、プロセッサであるか、またはプロセッサを含み得る。ワイヤレスデバイス９１５は、受信機９１０、ワイヤレス通信マネージャ９２０、または送信機９３０を含み得る。これらの構成要素の各々は互いと通信していることがある。たとえば、受信機９１０は情報９６０をワイヤレス通信マネージャ９２０に渡し得、ワイヤレス通信マネージャ９２０は情報９６０を受信機９１０に渡し得る。同様に、ワイヤレス通信マネージャ９２０は情報９６５を送信機９３０に渡し得、送信機９３０は情報９６５をワイヤレス通信マネージャ９２０に渡し得る。
【０１０１】
[0116]ワイヤレスデバイス９１５の構成要素は、適用可能な機能の一部または全部をハードウェアで実施するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る集積回路の他のもの（たとえば、ストラクチャード／プラットフォームＡＳＩＣ、ＦＰＧＡ、ＳｏＣ、および／またはセミカスタムＩＣの他のもの）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１０２】
[0117]いくつかの例では、受信機９１０は、少なくとも１つの無線周波数スペクトル帯域上での送信を受信するように動作可能な少なくとも１つのＲＦ受信機など、少なくとも１つのＲＦ受信機を含み得る。いくつかの例では、少なくとも１つの無線周波数スペクトル帯域のうちの１つまたは複数が、たとえば、図１〜図６を参照しながら説明されたように、狭帯域通信（たとえば、ＮＢ−ＬＴＥ通信）のために使用され得る。受信機９１０は、図１または図２を参照しながら説明されたワイヤレス通信システム１００または２００の１つまたは複数の通信リンクなど、ワイヤレス通信システムの１つまたは複数の通信リンク上で様々なデータまたは制御信号（すなわち、送信）を受信するために使用され得る。
【０１０３】
[0118]いくつかの例では、送信機９３０は、少なくとも１つの無線周波数スペクトル帯域上で送信するように動作可能な少なくとも１つのＲＦ送信機など、少なくとも１つのＲＦ送信機を含み得る。送信機９３０は、図１または図２を参照しながら説明されたワイヤレス通信システム１００または２００の１つまたは複数の通信リンクなど、ワイヤレス通信システムの１つまたは複数の通信リンク上で様々なデータまたは制御信号（すなわち、送信）を送信するために使用され得る。
【０１０４】
[0119]いくつかの例では、ワイヤレス通信マネージャ９２０は、ワイヤレスデバイス９１５のためのワイヤレス通信の１つまたは複数の態様を管理するために使用され得る。いくつかの例では、ワイヤレス通信マネージャ９２０の一部は、受信機９１０または送信機９３０に組み込まれるか、あるいはそれと共有され得る。いくつかの例では、ワイヤレス通信マネージャ９２０は、制御チャネル送信識別器９３５、リソースインデックスマッピング決定器９４５、またはダウンリンクデータ受信マネージャ９５５を含み得る。
【０１０５】
[0120]制御チャネル送信識別器９３５は、第１の送信間隔（たとえば、第１のサブフレーム）中で、狭帯域物理制御チャネル（たとえば、ＮＢ−ＰＤＣＣＨ）の探索空間中で制御チャネル送信を識別するために使用され得る。制御チャネル送信は、狭帯域ダウンリンクデータチャネル（たとえば、ＮＢ−ＰＤＳＣＨ）中で、ワイヤレスデバイスへのダウンリンクデータ送信のためのリソース許可のインジケータを含み得る。狭帯域物理制御チャネルおよび狭帯域ダウンリンクデータチャネルは、図３を参照しながら説明されたように、スタンドアロン、ガードバンド、または帯域内チャネルとして様々に展開され得る。いくつかの例では、探索空間は第１の送信間隔内の複数のシンボル期間のすべてにわたり得、他の例では、たとえば、図４および図５を参照しながら説明されたように、探索空間は複数のシンボル期間のサブセットにわたり得る。
【０１０６】
[0121]いくつかの例では、ダウンリンクデータ送信および／または狭帯域ダウンリンクデータチャネルは、制御チャネル送信および／または狭帯域物理制御チャネルが受信されるサブフレーム以外の１つまたは複数のサブフレームのセット中で受信され得る。リソース許可のインジケータは、たとえば、ワイヤレスデバイスの識別子、ダウンリンクデータ送信のＴＢサイズ、ダウンリンクデータ送信のサブフレームの数、ダウンリンクデータ送信のためのＭＣＳ、またはそれらの組合せを含み得、リソース許可は、先行する情報の存在から推論される（またはそれにおいて暗黙的である）。ダウンリンクデータ送信の送信パラメータ（たとえば、ダウンリンクデータ送信のＴＢサイズ、ダウンリンクデータ送信のサブフレームの数、またはダウンリンクデータ送信のためのＭＣＳ）は、制御チャネル送信の対応する送信パラメータと同じであるか、またはそれとは異なり得る。いくつかの例では、制御チャネル送信は、狭帯域物理制御チャネルのブラインド復号に基づいて識別され得る。制御チャネル送信識別器９３５は、次いで、制御チャネル送信情報９４０をリソースインデックスマッピング決定器９４５に渡し得る。
【０１０７】
[0122]リソースインデックスマッピング決定器９４５は、制御チャネル送信識別器９３５から制御チャネル送信情報９４０を受信し得る。リソースインデックスマッピング決定器９４５は、次いで、図６を参照しながら説明されたように、狭帯域物理制御チャネル中の制御チャネル送信の第１のリソースインデックスと、狭帯域ダウンリンクデータチャネル中のダウンリンクデータ送信の第２のリソースインデックスとの間のリソースマッピングを決定するためにこの情報を使用し得る。いくつかの例では、第１のリソースインデックスは、狭帯域物理制御チャネルの展開モードに基づいて（たとえば、図３を参照しながら説明された展開モードのうちの１つに基づいて）決定され得る。いくつかの例では、第１のリソースインデックスは、制御チャネル送信が狭帯域物理制御チャネル中でオフセットされた第１の数のＲＥＧを含み得、第２のリソースインデックスは、ダウンリンクデータ送信が狭帯域ダウンリンクデータチャネル中でオフセットされた第２の数のＲＥＧを含み得る。第２の数は第１の数と同じであるか、またはそれとは異なり得る。他の例では、オフセットは、ＲＥＧの数以外の用語（たとえば、ＲＥの数またはＣＣＥの数）で表され得る。リソースインデックスマッピング決定器９４５は、次いで、リソースインデックス情報９５０をダウンリンクデータ受信マネージャ９５５に渡し得る。
【０１０８】
[0123]ダウンリンクデータ受信マネージャ９５５はリソースインデックス情報９５０を受信し、第２のリソースインデックスに基づいてダウンリンクデータ送信を受信するためにこの情報を使用し得る。
【０１０９】
[0124]図１０は、本開示の様々な態様による、ワイヤレス通信において使用するためのワイヤレスデバイス１０１５のブロック図１０００を示す。ワイヤレスデバイス１０１５は、図１および図２を参照しながら説明されたＵＥ１１５のうちの１つまたは複数の態様の一例であり得る。ワイヤレスデバイス１０１５はまた、プロセッサであるか、またはプロセッサを含み得る。ワイヤレスデバイス１０１５は、受信機１０１０、ワイヤレス通信マネージャ１０２０、または送信機１０３０を含み得る。これらの構成要素の各々は互いと通信していることがある。たとえば、受信機１０１０は情報１０５０をワイヤレス通信マネージャ１０２０に渡し得、ワイヤレス通信マネージャ１０２０は情報１０５０を受信機１０１０に渡し得る。同様に、ワイヤレス通信マネージャ１０２０は情報１０５５を送信機１０３０に渡し得、送信機１０３０は情報１０５５をワイヤレス通信マネージャ１０２０に渡し得る。
【０１１０】
[0125]ワイヤレスデバイス１０１５の構成要素は、適用可能な機能の一部または全部をハードウェアで実施するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る集積回路の他のもの（たとえば、ストラクチャード／プラットフォームＡＳＩＣ、ＦＰＧＡ）、ＳｏＣ、および／またはセミカスタムＩＣの他のもの）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１１１】
[0126]いくつかの例では、受信機１０１０は、少なくとも１つの無線周波数スペクトル帯域上での送信を受信するように動作可能な少なくとも１つのＲＦ受信機など、少なくとも１つのＲＦ受信機を含み得る。いくつかの例では、少なくとも１つの無線周波数スペクトル帯域のうちの１つまたは複数が、たとえば、図１〜図６を参照しながら説明されたように、狭帯域通信（たとえば、ＮＢ−ＬＴＥ通信）のために使用され得る。受信機１０１０は、図１または図２を参照しながら説明されたワイヤレス通信システム１００または２００の１つまたは複数の通信リンクなど、ワイヤレス通信システムの１つまたは複数の通信リンク上で様々なデータまたは制御信号（すなわち、送信）を受信するために使用され得る。
【０１１２】
[0127]いくつかの例では、送信機１０３０は、少なくとも１つの無線周波数スペクトル帯域上で送信するように動作可能な少なくとも１つのＲＦ送信機など、少なくとも１つのＲＦ送信機を含み得る。送信機１０３０は、図１または図２を参照しながら説明されたワイヤレス通信システム１００または２００の１つまたは複数の通信リンクなど、ワイヤレス通信システムの１つまたは複数の通信リンク上で様々なデータまたは制御信号（すなわち、送信）を送信するために使用され得る。
【０１１３】
[0128]いくつかの例では、ワイヤレス通信マネージャ１０２０は、ワイヤレスデバイス１０１５のためのワイヤレス通信の１つまたは複数の態様を管理するために使用され得る。いくつかの例では、ワイヤレス通信マネージャ１０２０の一部は、受信機１０１０または送信機１０３０に組み込まれるか、あるいはそれと共有され得る。いくつかの例では、ワイヤレス通信マネージャ１０２０は制御チャネル受信マネージャ１０３５またはデータ送信識別器１０４５を含み得る。
【０１１４】
[0129]制御チャネル受信マネージャ１０３５は、複数のＲＥＧを含む狭帯域物理制御チャネル（たとえば、ＮＢ−ＰＤＣＣＨ）を受信するために使用され得る。狭帯域物理制御チャネルは、図３を参照しながら説明されたように、スタンドアロン、ガードバンド、または帯域内チャネルとして様々に展開され得る。制御チャネル受信マネージャ１０３５は、次いで、狭帯域物理制御チャネル情報１０４０をデータ送信識別器１０４５に渡し得る。
【０１１５】
[0130]データ送信識別器１０４５は、制御チャネル受信マネージャ１０３５から狭帯域物理制御チャネル情報１０４０を受信し得る。データ送信識別器１０４５は、次いで、狭帯域物理制御チャネル上の制御チャネル送信のための少なくとも１つのフォーマットと同じサイズを有する、複数のＲＥＧのセットにマッピングされた第１のデータヘッダ（たとえば、ＭＡＣヘッダ）とデータペイロードとを含むデータ送信を狭帯域物理制御チャネル中で識別するためにこの情報を使用し得る。いくつかの例では、データ送信は、データ識別子（たとえば、データＲＮＴＩ）を用いて、復号された制御送信候補のＣＲＣ値をデスクランブルすることによって識別され得る。いくつかの例では、データ送信は、制御チャネル送信のための少なくとも１つのフォーマットを識別する場合とは異なる長さを有するＣＲＣ値を用いて、復号された制御送信候補のための巡回冗長検査を実施することによって識別され得る。
【０１１６】
[0131]いくつかの例では、第１のデータヘッダは、狭帯域物理制御チャネル中の制御送信によって割り振られた狭帯域データチャネル（たとえば、ＮＢ−ＰＤＳＣＨ）を介したデータの送信のための第２のデータヘッダとは異なるサイズを有し得る。たとえば、第１のデータヘッダは第２のデータヘッダよりも小さくなり得る。第２のデータヘッダと比較して、およびいくつかの例では、第１のデータヘッダは、（固定ペイロードサイズまたは少数の仮説を示す）低減されたペイロードフィールドを有し、（固定ＬＣＩＤまたは少数のＬＣＩＤを示す）低減されたＬＣＩＤフィールドを有し、（たとえば、ペイロードフィールドが一定または半静的であり得るので）Ｆフィールドを有せず、および／あるいは予約済みビットまたは拡張ビットを有しないことがある。
【０１１７】
[0132]図１１は、本開示の様々な態様による、ワイヤレス通信において使用するための基地局１０５−ｃ（たとえば、ｅＮＢの一部または全部を形成する基地局）のブロック図１１００を示す。いくつかの例では、基地局１０５−ｃは、図１、図２、および図７を参照しながら説明された基地局１０５またはデバイス７０５のうちの１つまたは複数の態様の一例であり得る。基地局１０５−ｃは、図１〜図７を参照しながら説明された基地局の特徴および機能のうちの少なくともいくつかを実装するかまたは可能にするように構成され得る。
【０１１８】
[0133]基地局１０５−ｃは、基地局プロセッサ１１１０、基地局メモリ１１２０、（（１つまたは複数の）基地局トランシーバ１１５０によって表される）少なくとも１つの基地局トランシーバ、（（１つまたは複数の）基地局アンテナ１１５５によって表される）少なくとも１つの基地局アンテナ、または基地局ワイヤレス通信マネージャ１１６０を含み得る。基地局１０５−ｃは、基地局コミュニケータ１１３０またはネットワークコミュニケータ１１４０のうちの１つまたは複数をも含み得る。これらの構成要素の各々は、１つまたは複数のバス１１３５を介して、直接または間接的に、互いと通信していることがある。
【０１１９】
[0134]基地局メモリ１１２０は、ランダムアクセスメモリ（ＲＡＭ）または読取り専用メモリ（ＲＯＭ）を含み得る。基地局メモリ１１２０は、実行されたとき、たとえば、狭帯域物理制御チャネルまたは狭帯域ダウンリンクデータチャネル中で狭帯域通信を送信することを含む、ワイヤレス通信に関係する本明細書で説明される様々な機能を基地局プロセッサ１１１０に実施させるように構成された命令を含んでいるコンピュータ可読、コンピュータ実行可能コード１１２５を記憶し得る。代替的に、コード１１２５は、基地局プロセッサ１１１０によって直接的に実行可能ではないが、（たとえば、コンパイルされ、実行されたとき）本明細書で説明される機能のうちのいくつかを基地局１０５−ｃに実施させるように構成され得る。
【０１２０】
[0135]基地局プロセッサ１１１０は、インテリジェントハードウェアデバイス、たとえば、中央処理ユニット（ＣＰＵ）、マイクロコントローラ、ＡＳＩＣなどを含み得る。基地局プロセッサ１１１０は、（１つまたは複数の）基地局トランシーバ１１５０、基地局コミュニケータ１１３０、またはネットワークコミュニケータ１１４０を通して受信された情報を処理し得る。基地局プロセッサ１１１０はまた、（１つまたは複数の）アンテナ１１５５を通した送信のために（１つまたは複数の）トランシーバ１１５０に送られるべき情報、１つまたは複数の他の基地局１０５−ｄおよび１０５−ｅへの送信のために基地局コミュニケータ１１３０に送られるべき情報、または図１を参照しながら説明されたコアネットワーク１３０の１つまたは複数の態様の一例であり得る、コアネットワーク１３０−ａへの送信のためにネットワークコミュニケータ１１４０に送られるべき情報を処理し得る。基地局プロセッサ１１１０は、単独で、または基地局ワイヤレス通信マネージャ１１６０とともに、１つまたは複数の無線周波数スペクトル帯域上で通信すること（またはそれの上での通信を管理すること）の様々な態様を扱い得る。
【０１２１】
[0136]（１つまたは複数の）基地局トランシーバ１１５０は、パケットを変調し、変調されたパケットを送信のために（１つまたは複数の）基地局アンテナ１１５５に与え、（１つまたは複数の）基地局アンテナ１１５５から受信されたパケットを復調するように構成されたモデムを含み得る。（１つまたは複数の）基地局トランシーバ１１５０は、いくつかの例では、１つまたは複数の基地局送信機および１つまたは複数の別個の基地局受信機として実装され得る。（１つまたは複数の）基地局トランシーバ１１５０は、１つまたは複数のワイヤレス通信リンクを介した通信をサポートし得る。（１つまたは複数の）基地局トランシーバ１１５０は、（１つまたは複数の）アンテナ１１５５を介して、図１、図８、図９、および図１０を参照しながら説明されたＵＥ１１５あるいはワイヤレスデバイス８１５、９１５、または１０１５のうちの１つまたは複数など、１つまたは複数のＵＥまたは他のワイヤレスデバイスと双方向に通信するように構成され得る。基地局１０５−ｃは、たとえば、複数の基地局アンテナ１１５５（たとえば、アンテナアレイ）を含み得る。基地局１０５−ｃは、ネットワークコミュニケータ１１４０を通してコアネットワーク１３０−ａと通信し得る。基地局１０５−ｃはまた、基地局コミュニケータ１１３０を使用して、基地局１０５−ｄおよび１０５−ｅなど、他の基地局と通信し得る。
【０１２２】
[0137]基地局ワイヤレス通信マネージャ１１６０は、１つまたは複数の無線周波数スペクトル帯域上でのワイヤレス通信に関係する図１〜図７を参照しながら説明された特徴または機能の一部または全部を実施または制御するように構成され得る。基地局ワイヤレス通信マネージャ１１６０、またはそれの部分はプロセッサを含み得、あるいは基地局ワイヤレス通信マネージャ１１６０の機能の一部または全部は、基地局プロセッサ１１１０によって実施されるか、または基地局プロセッサ１１１０とともに実施され得る。いくつかの例では、基地局ワイヤレス通信マネージャ１１６０は、図７を参照しながら説明されたワイヤレス通信マネージャ７２０の一例であり得る。
【０１２３】
[0138]図１２は、本開示の様々な態様による、ワイヤレス通信において使用するためのＵＥ１１５−ｃのブロック図１２００を示す。ＵＥ１１５−ｃは、様々な構成を有し得、いくつかの例では、狭帯域および／またはＩｏＴワイヤレスデバイスであり得る。ＵＥ１１５−ｃは、いくつかの例では、モバイルまたはリモート動作を可能にするために、小型バッテリーなどの内部電源（図示せず）を有し得る。いくつかの例では、ＵＥ１１５−ｃは、図１、図２、図８、図９、および図１０を参照しながら説明されたＵＥ１１５あるいはワイヤレスデバイス８１５、９１５、または１０１５のうちの１つまたは複数の態様の一例であり得る。ＵＥ１１５−ｃは、図１〜図６、図８、図９、および図１０を参照しながら説明されたＵＥおよび／またはワイヤレスデバイスの特徴および機能のうちの少なくともいくつかを実装するように構成され得る。
【０１２４】
[0139]ＵＥ１１５−ｃは、ＵＥプロセッサ１２１０、ＵＥメモリ１２２０、（（１つまたは複数の）ＵＥトランシーバ１２３０によって表される）少なくとも１つのＵＥトランシーバ、（（１つまたは複数の）ＵＥアンテナ１２４０によって表される）少なくとも１つのＵＥアンテナ、またはＵＥワイヤレス通信マネージャ１２５０を含み得る。これらの構成要素の各々は、１つまたは複数のバス１２３５を介して、直接または間接的に、互いと通信していることがある。
【０１２５】
[0140]ＵＥメモリ１２２０はＲＡＭまたはＲＯＭを含み得る。ＵＥメモリ１２２０は、実行されたとき、たとえば、狭帯域物理制御チャネルまたは狭帯域ダウンリンクデータチャネル中で狭帯域通信を受信することを含む、ワイヤレス通信に関係する本明細書で説明される様々な機能をＵＥプロセッサ１２１０に実施させるように構成された命令を含んでいるコンピュータ可読、コンピュータ実行可能コード１２２５を記憶し得る。代替的に、コード１２２５は、ＵＥプロセッサ１２１０によって直接的に実行可能ではないが、（たとえば、コンパイルされ、実行されたとき）本明細書で説明される機能のうちのいくつかをＵＥ１１５−ｃに実施させるように構成され得る。
【０１２６】
[0141]ＵＥプロセッサ１２１０は、インテリジェントハードウェアデバイス、たとえば、中央処理ユニット（ＣＰＵ）、マイクロコントローラ、ＡＳＩＣなどを含み得る。ＵＥプロセッサ１２１０は、（１つまたは複数の）ＵＥトランシーバ１２３０を通して受信された情報、または（１つまたは複数の）ＵＥアンテナ１２４０を通した送信のために（１つまたは複数の）ＵＥトランシーバ１２３０に送られるべき情報を処理し得る。ＵＥプロセッサ１２１０は、単独で、またはＵＥワイヤレス通信マネージャ１２５０とともに、１つまたは複数の無線周波数スペクトル帯域上で通信すること（またはそれの上での通信を管理すること）の様々な態様を扱い得る。
【０１２７】
[0142]（１つまたは複数の）ＵＥトランシーバ１２３０は、パケットを変調し、変調されたパケットを送信のために（１つまたは複数の）ＵＥアンテナ１２４０に与え、（１つまたは複数の）ＵＥアンテナ１２４０から受信されたパケットを復調するように構成されたモデムを含み得る。（１つまたは複数の）ＵＥトランシーバ１２３０は、いくつかの例では、１つまたは複数のＵＥ送信機および１つまたは複数の別個のＵＥ受信機として実装され得る。（１つまたは複数の）ＵＥトランシーバ１２３０は、１つまたは複数のワイヤレス通信リンクを介した通信をサポートし得る。（１つまたは複数の）ＵＥトランシーバ１２３０は、（１つまたは複数の）ＵＥアンテナ１２４０を介して、図１、図２、および図７を参照しながら説明された基地局１０５またはデバイス７０５のうちの１つまたは複数など、１つまたは複数の基地局または他のデバイスと双方向に通信するように構成され得る。ＵＥ１１５−ｃは単一のＵＥアンテナを含み得るが、ＵＥ１１５−ｃが複数のＵＥアンテナ１２４０を含み得る例があり得る。
【０１２８】
[0143]ＵＥワイヤレス通信マネージャ１２５０は、１つまたは複数の無線周波数スペクトル帯域上でのワイヤレス通信に関係する図１〜図６、図８、図９、および図１０を参照しながら説明されたＵＥまたはワイヤレスデバイスの特徴または機能の一部または全部を実施または制御するように構成され得る。ＵＥワイヤレス通信マネージャ１２５０、またはそれの部分はプロセッサを含み得、あるいはＵＥワイヤレス通信マネージャ１２５０の機能の一部または全部は、ＵＥプロセッサ１２１０によって実施されるか、またはＵＥプロセッサ１２１０とともに実施され得る。いくつかの例では、ＵＥワイヤレス通信マネージャ１２５０は、図８、図９、および図１０を参照しながら説明されたワイヤレス通信マネージャ８２０、９２０、または１０２０の一例であり得る。
【０１２９】
[0144]図１３は、本開示の様々な態様による、基地局における通信のための方法１３００の一例を示すフローチャートである。明快のために、方法１３００は、図１、図２、および図１１を参照しながら説明された基地局１０５のうちの１つまたは複数の態様、図７を参照しながら説明されたデバイス７０５の態様、あるいは図７および図１１を参照しながら説明されたワイヤレス通信マネージャ７２０または１１６０のうちの１つまたは複数の態様に関して以下で説明される。いくつかの例では、基地局が、以下で説明される機能を実施するように基地局の機能要素を制御するためのコードの１つまたは複数のセットを実行し得る。追加または代替として、基地局は、専用ハードウェアを使用して、以下で説明される機能のうちの１つまたは複数を実施し得る。
【０１３０】
[0145]ブロック１３０５において、方法１３００は、複数のサブフレーム上の複数のリソースブロックを含むダウンリンクキャリア中で、第１のタイプの１つまたは複数の通信デバイス（たとえば、ＬＴＥ／ＬＴＥ−Ａ通信デバイス）との通信に関連するＣＲＳのために、リソース要素の第１のセットを割り振ることを含み得る。ブロック１３０５における（１つまたは複数の）動作は、図７および図１１を参照しながら説明されたワイヤレス通信マネージャ７２０または１１６０、あるいは図７を参照しながら説明されたＣＲＳリソースアロケータ７３５を使用して実施され得る。
【０１３１】
[0146]ブロック１３１０において、方法１３００は、第２のタイプの１つまたは複数の通信デバイス（たとえば、狭帯域通信デバイス）との通信のための狭帯域物理チャネル（たとえば、ＮＢ−ＰＤＣＣＨまたはＮＢ−ＰＤＳＣＨ）に、複数のリソースブロックのうちのリソースブロックのリソースを割り振ることを含み得る。割り振られたリソースは複数のＲＥＧを含み得、複数のＲＥＧは、リソース要素の第１のセットとリソース要素の第２のセットとの周りでレートマッチングされる。リソース要素の第２のセットは、第２のタイプの１つまたは複数の通信デバイスとの通信に関連するＮＢ−ＣＲＳに割り振られ得る。ブロック１３１０における（１つまたは複数の）動作は、図７および図１１を参照しながら説明されたワイヤレス通信マネージャ７２０または１１６０、あるいは図７を参照しながら説明されたＮＢ−ＣＲＳリソースアロケータ７４５または狭帯域物理チャネルリソースアロケータ７５５を使用して実施され得る。
【０１３２】
[0147]ブロック１３１５において、方法１３００は、第２のタイプの１つまたは複数の通信デバイスに、狭帯域物理チャネルの割り振られたリソースのサブセットにマッピングされた情報（たとえば、制御チャネル送信またはダウンリンクデータ送信）を送信することを含み得る。ブロック１３１５における（１つまたは複数の）動作は、図７および図１１を参照しながら説明されたワイヤレス通信マネージャ７２０または１１６０、あるいは図７を参照しながら説明された狭帯域送信マネージャ７６５を使用して実施され得る。
【０１３３】
[0148]いくつかの例では、方法１３００は、プリコーダのセットによる情報のマッピングのために使用される連続リソース要素またはＲＥＧを循環的にプリコーディングすることを含み得る。
【０１３４】
[0149]したがって、方法１３００はワイヤレス通信を提供し得る。方法１３００は一実装形態にすぎないこと、および方法１３００の動作は、他の実装形態が可能であるように、並べ替えられるかまたは場合によっては変更され得ることに留意されたい。
【０１３５】
[0150]図１４は、本開示の様々な態様による、ワイヤレスデバイスにおける通信のための方法１４００の一例を示すフローチャートである。明快のために、方法１４００は、図１、図２、および図１２を参照しながら説明されたＵＥ１１５のうちの１つまたは複数の態様、図８を参照しながら説明されたワイヤレスデバイス８１５の態様、あるいは図８および図１２を参照しながら説明されたワイヤレス通信マネージャ８２０または１２５０のうちの１つまたは複数の態様に関して以下で説明される。いくつかの例では、ワイヤレスデバイスは、以下で説明される機能を実施するようにワイヤレスデバイスの機能要素を制御するためのコードの１つまたは複数のセットを実行し得る。追加または代替として、ワイヤレスデバイスは、専用ハードウェアを使用して、以下で説明される機能のうちの１つまたは複数を実施し得る。
【０１３６】
[0151]ブロック１４０５において、方法１４００は、狭帯域物理チャネルの展開モードを決定することを含み得る。狭帯域物理制御チャネルは、図３を参照しながら説明されたように、スタンドアロン、ガードバンド、または帯域内チャネルとして様々に展開され得る。ブロック１６０５における（１つまたは複数の）動作は、図８および図１２を参照しながら説明されたワイヤレス通信マネージャ８２０または１２５０、あるいは図８を参照しながら説明された展開モード決定器８３５を使用して実施され得る。
【０１３７】
[0152]ブロック１４１０において、方法１４００は、狭帯域物理チャネルに割り振られたリソースのサブセットにマッピングされた情報を受信することを含み得る。ブロック１４１０における（１つまたは複数の）動作は、図８および図１２を参照しながら説明されたワイヤレス通信マネージャ８２０または１２５０、あるいは図８を参照しながら説明された受信機８１０を使用して実施され得る。
【０１３８】
[0153]ブロック１４１５において、方法１４００は、展開モードに少なくとも部分的に基づいて、狭帯域物理チャネルに割り振られたリソースのサブセットに関連するレートマッチング構成を決定することを含み得る。いくつかの例では、狭帯域物理チャネルに割り振られたリソースのサブセットは、（たとえば、帯域内展開モードの場合）ＣＲＳに割り振られたリソース要素の第１のセットと、ＮＢ−ＣＲＳに割り振られたリソース要素の第２のセットとの周りでレートマッチングされ得る。他の例では、狭帯域物理チャネルに割り振られたリソースのサブセットは、（たとえば、スタンドアロン展開モードまたはガードバンド展開モードの場合）ＮＢ−ＣＲＳに割り振られたリソース要素のセットの周りでレートマッチングされ得る。いくつかの場合には、割り振られたリソースは複数のＲＥＧを含み得、複数のＲＥＧは、ＮＢ−ＣＲＳに割り振られたリソース要素のセットの周りでレートマッチングされ得る。ブロック１４１５における（１つまたは複数の）動作は、図８および図１２を参照しながら説明されたワイヤレス通信マネージャ８２０または１２５０、あるいは図８を参照しながら説明されたレートマッチング構成決定器８４５を使用して実施され得る。
【０１３９】
[0154]ブロック１４２０において、方法１４００は、レートマッチング構成に少なくとも部分的に基づいて、受信された情報を復号することを含み得る。ブロック１４２０における（１つまたは複数の）動作は、図８および図１２を参照しながら説明されたワイヤレス通信マネージャ８２０または１２５０、あるいは図８を参照しながら説明されたデコーダ８５５を使用して実施され得る。
【０１４０】
[0155]したがって、方法１４００はワイヤレス通信を提供し得る。方法１４００は一実装形態にすぎないこと、および方法１４００の動作は、他の実装形態が可能であるように、並べ替えられるかまたは場合によっては変更され得ることに留意されたい。
【０１４１】
[0156]図１５は、本開示の様々な態様による、ワイヤレスデバイスにおける通信のための方法１５００の一例を示すフローチャートである。明快のために、方法１５００は、図１、図２、および図１２を参照しながら説明されたＵＥ１１５のうちの１つまたは複数の態様、図９を参照しながら説明されたワイヤレスデバイス９１５の態様、あるいは図９および図１２を参照しながら説明されたワイヤレス通信マネージャ９２０または１２５０のうちの１つまたは複数の態様に関して以下で説明される。いくつかの例では、ワイヤレスデバイスは、以下で説明される機能を実施するようにワイヤレスデバイスの機能要素を制御するためのコードの１つまたは複数のセットを実行し得る。追加または代替として、ワイヤレスデバイスは、専用ハードウェアを使用して、以下で説明される機能のうちの１つまたは複数を実施し得る。
【０１４２】
[0157]ブロック１５０５において、方法１５００は、第１の送信間隔（たとえば、第１のサブフレーム）中で、狭帯域物理制御チャネル（たとえば、ＮＢ−ＰＤＣＣＨ）の探索空間中で制御チャネル送信を識別することを含み得る。制御チャネル送信は、狭帯域ダウンリンクデータチャネル（たとえば、ＮＢ−ＰＤＳＣＨ）中で、ワイヤレスデバイスへのダウンリンクデータ送信のためのリソース許可のインジケータを含み得る。狭帯域物理制御チャネルおよび狭帯域ダウンリンクデータチャネルは、図３を参照しながら説明されたように、スタンドアロン、ガードバンド、または帯域内チャネルとして様々に展開され得る。いくつかの例では、探索空間は第１の送信間隔内の複数のシンボル期間のすべてにわたり得、他の例では、たとえば、図４および図５を参照しながら説明されたように、探索空間は複数のシンボル期間のサブセットにわたり得る。いくつかの例では、ダウンリンクデータ送信および／または狭帯域ダウンリンクデータチャネルは、制御チャネル送信および／または狭帯域物理制御チャネルが受信されるサブフレーム以外の１つまたは複数のサブフレームのセット中で受信され得る。リソース許可のインジケータは、たとえば、ワイヤレスデバイスの識別子、ダウンリンクデータ送信のＴＢサイズ、ダウンリンクデータ送信のサブフレームの数、ダウンリンクデータ送信のためのＭＣＳ、またはそれらの組合せを含み得、リソース許可は、先行する情報の存在から推論される（またはそれにおいて暗黙的である）。ダウンリンクデータ送信の送信パラメータ（たとえば、ダウンリンクデータ送信のＴＢサイズ、ダウンリンクデータ送信のサブフレームの数、またはダウンリンクデータ送信のためのＭＣＳ）は、制御チャネル送信の対応する送信パラメータと同じであるか、またはそれとは異なり得る。いくつかの例では、制御チャネル送信は、狭帯域物理制御チャネルのブラインド復号に基づいて識別され得る。ブロック１５０５における（１つまたは複数の）動作は、図９および図１２を参照しながら説明されたワイヤレス通信マネージャ９２０または１２５０、あるいは図９を参照しながら説明された制御チャネル送信識別器９３５を使用して実施され得る。
【０１４３】
[0158]ブロック１５１０において、方法１５００は、図６を参照しながら説明されたように、狭帯域物理制御チャネル中の制御チャネル送信の第１のリソースインデックスと、狭帯域ダウンリンクデータチャネル中のダウンリンクデータ送信の第２のリソースインデックスとの間のリソースマッピングを決定することを含み得る。いくつかの例では、第１のリソースインデックスは、狭帯域物理制御チャネルの展開モードに基づいて（たとえば、図３を参照しながら説明された展開モードのうちの１つに基づいて）決定され得る。いくつかの例では、第１のリソースインデックスは、制御チャネル送信が狭帯域物理制御チャネル中でオフセットされた第１の数のＲＥＧを含み得、第２のリソースインデックスは、ダウンリンクデータ送信が狭帯域ダウンリンクデータチャネル中でオフセットされた第２の数のＲＥＧを含み得る。第２の数は第１の数と同じであるか、またはそれとは異なり得る。他の例では、オフセットは、ＲＥＧの数以外の用語（たとえば、ＲＥの数またはＣＣＥの数）で表され得る。ブロック１５１０における（１つまたは複数の）動作は、図９および図１２を参照しながら説明されたワイヤレス通信マネージャ９２０または１２５０、あるいは図９を参照しながら説明されたリソースインデックスマッピング決定器９４５を使用して実施され得る。
【０１４４】
[0159]ブロック１５１５において、方法１５００は、第２のリソースインデックスに基づいてダウンリンクデータ送信を受信することを含み得る。ブロック１５１５における（１つまたは複数の）動作は、図９および図１２を参照しながら説明されたワイヤレス通信マネージャ９２０または１２５０、あるいは図９を参照しながら説明されたダウンリンクデータ受信マネージャ９５５を使用して実施され得る。
【０１４５】
[0160]したがって、方法１５００はワイヤレス通信を提供し得る。方法１５００は一実装形態にすぎないこと、および方法１５００の動作は、他の実装形態が可能であるように、並べ替えられるかまたは場合によっては変更され得ることに留意されたい。
【０１４６】
[0161]図１６は、本開示の様々な態様による、ワイヤレスデバイスにおける通信のための方法１６００の一例を示すフローチャートである。明快のために、方法１６００は、図１、図２、および図１２を参照しながら説明されたＵＥ１１５のうちの１つまたは複数の態様、図１０を参照しながら説明されたワイヤレスデバイス１０１５の態様、あるいは図９および図１２を参照しながら説明されたワイヤレス通信マネージャ１０２０または１２５０のうちの１つまたは複数の態様に関して以下で説明される。いくつかの例では、ワイヤレスデバイスは、以下で説明される機能を実施するようにワイヤレスデバイスの機能要素を制御するためのコードの１つまたは複数のセットを実行し得る。追加または代替として、ワイヤレスデバイスは、専用ハードウェアを使用して、以下で説明される機能のうちの１つまたは複数を実施し得る。
【０１４７】
[0162]ブロック１６０５において、方法１６００は、複数のＲＥＧを含む狭帯域物理制御チャネル（たとえば、ＮＢ−ＰＤＣＣＨ）を受信することを含み得る。狭帯域物理制御チャネルは、図３を参照しながら説明されたように、スタンドアロン、ガードバンド、または帯域内チャネルとして様々に展開され得る。ブロック１６０５における（１つまたは複数の）動作は、図１０および図１２を参照しながら説明されたワイヤレス通信マネージャ１０２０または１２５０、あるいは図１０を参照しながら説明された制御チャネル受信マネージャ１０３５を使用して実施され得る。
【０１４８】
[0163]ブロック１６１０において、方法１６００は、狭帯域物理制御チャネル上の制御チャネル送信のための少なくとも１つのフォーマットと同じサイズを有する、複数のＲＥＧのセットにマッピングされた第１のデータヘッダ（たとえば、ＭＡＣヘッダ）とデータペイロードとを含むデータ送信を狭帯域物理制御チャネル中で識別することを含み得る。いくつかの例では、データ送信は、データ識別子（たとえば、データＲＮＴＩ）を用いて、復号された制御送信候補のＣＲＣ値をデスクランブルすることによって識別され得る。いくつかの例では、データ送信は、制御チャネル送信のための少なくとも１つのフォーマットを識別する場合とは異なる長さを有するＣＲＣ値を用いて、復号された制御送信候補のための巡回冗長検査を実施することによって識別され得る。ブロック１６１０における（１つまたは複数の）動作は、図１０および図１２を参照しながら説明されたワイヤレス通信マネージャ１０２０または１２５０、あるいは図１０を参照しながら説明されたデータ送信識別器１０４５を使用して実施され得る。
【０１４９】
[0164]方法１６００のいくつかの例では、第１のデータヘッダは、狭帯域物理制御チャネル中の制御送信によって割り振られた狭帯域データチャネル（たとえば、ＮＢ−ＰＤＳＣＨ）を介したデータの送信のための第２のデータヘッダとは異なるサイズを有し得る。たとえば、第１のデータヘッダは第２のデータヘッダよりも小さくなり得る。第２のデータヘッダと比較して、およびいくつかの例では、第１のデータヘッダは、（固定ペイロードサイズまたは少数の仮説を示す）低減されたペイロードフィールドを有し、（固定ＬＣＩＤまたは少数のＬＣＩＤを示す）低減されたＬＣＩＤフィールドを有し、（たとえば、ペイロードフィールドが一定または半静的であり得るので）Ｆフィールドを有せず、および／あるいは予約済みビットまたは拡張ビットを有しないことがある。
【０１５０】
[0165]したがって、方法１６００はワイヤレス通信を提供し得る。方法１６００は一実装形態にすぎないこと、および方法１６００の動作は、他の実装形態が可能であるように、並べ替えられるかまたは場合によっては変更され得ることに留意されたい。
【０１５１】
[0166]添付の図面に関して上記に記載された詳細な説明は、例について説明しており、実装され得るまたは特許請求の範囲内に入る例のすべてを表すとは限らない。「例」および「例示的」という語は、この説明で使用されるとき、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造および装置がブロック図の形式で示されている。
【０１５２】
[0167]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１５３】
[0168]本明細書の開示に関して説明された様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１５４】
[0169]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶され得るか、あるいはコンピュータ可読媒体を介して送信され得る。他の例および実施態様は、本開示および添付の特許請求の範囲の範囲および趣旨内にある。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１５５】
[0170]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は通常、データを磁気的に再生し、ディスク（disc）は、データをレーザーで光学的に再生する。上記の組合せも、コンピュータ可読媒体の範囲内に含まれる。
【０１５６】
[0171]本開示の前の説明は、当業者が本開示を作成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示された原理および新規の特徴に合致する最も広い範囲を与えられるべきである。
【図１】
2019506793.tif 000003
【図２】
2019506793.tif 000004
【図３】
2019506793.tif 000005
【図４】
2019506793.tif 000006
【図５】
2019506793.tif 000007
【図６】
2019506793.tif 000008
【図７】
2019506793.tif 000009
【図８】
2019506793.tif 000010
【図９】
2019506793.tif 000011
【図１０】
2019506793.tif 000012
【図１１】
2019506793.tif 000013
【図１２】
2019506793.tif 000014
【図１３】
2019506793.tif 000015
【図１４】
2019506793.tif 000016
【図１５】
2019506793.tif 000017
【図１６】
2019506793.tif 000018
【国際調査報告】
2019506793.tif 000019
2019506793.tif 000020
2019506793.tif 000021
2019506793.tif 000022
2019506793.tif 000023
2019506793.tif 000024